(57)【要約】【課題】ヘッドが液体貯留室よりも下方に位置する場合に、液体貯留室に貯留された液体のヘッドへの流出を低減する。【解決手段】複合機１０は、インクの貯留室５７を有し大気開放されたインクカートリッジ３０と、貯留室５７と連通口１８４を介して連通したインクの貯留室１６０、貯留室１６０からインクが流出する連通口１２８を有し大気開放されたタンク１０３と、左右方向９に移動するキャリッジ２２に搭載され、連通口１２８を介して貯留室１６０から供給されたインクを吐出するノズル２９とを備える。貯留室１６０は、ノズル２９より前方且つキャリッジ２２より右方に位置する。連通口１２８は、貯留室１６０の右下端部の前端部からインクを流出させる。貯留室１６０における連通口１８４より上方且つ連通口１２８より左方の部分の容積は、連通口１２８とノズル２９との間のインクの流通空間の容積よりも大きい。【選択図】図６
2018140585.tif 000002
【特許請求の範囲】
【請求項１】
液体を貯留する第１貯留室、及び上記第１貯留室を大気に連通させる第１大気連通部を有する第１タンクと、
上記第１貯留室と連通する連通口、上記連通口と連通しており液体を貯留する第２貯留室、上記第１大気連通部とは異なる経路で上記第２貯留室を大気に連通させる第２大気連通部、及び上記第２貯留室から液体を流出する液体流出口を有する第２タンクと、
上下方向と直交する奥行き方向に延びる搬送路に沿ってシートを搬送する搬送機構と、
上記搬送路の上方に位置しており、上記上下方向及び上記奥行き方向と直交する幅方向に移動するキャリッジと、
上記キャリッジに搭載されており、上記液体流出口と流路を介して連通しており、上記液体流出口から上記流路を通じて供給された液体を上記搬送路へ向けて吐出するノズルを有するヘッドと、を備え、
上記第２貯留室は、上記ノズルよりも上記奥行き方向の一方である第１向き、且つ上記搬送路よりも上記幅方向の一方である第２向きに位置しており、
上記液体流出口は、上記第２貯留室の上記上下方向の中央よりも下方であり、上記第２貯留室の上記奥行き方向の中央よりも上記第１向きであり、且つ上記第２貯留室の上記幅方向の中央よりも上記第２向きである位置において、上記第２貯留室から液体を流出させるものであり、
上記第２貯留室は、上記連通口と同じ高さが液面となる量の液体が貯留されている状態において、当該液面よりも上方且つ上記液体流出口よりも上記幅方向の他方である第３向きに所定空間を備え、
上記所定空間の容積は、上記液体流出口と上記ノズルとの間における液体の流通空間の容積よりも大きい画像記録装置。
【請求項２】
上記第２貯留室に貯留されている液体の液面の高さを検知する液面検知部を備える請求項１に記載の画像記録装置。
【請求項３】
上記第２貯留室は、上記所定空間に設けられたバッファ空間と、上記バッファ空間よりも下方に位置しており上記液体流出口と連通する第１空間と、上記バッファ空間及び上記第１空間を繋ぐ第２空間と、を備え、
上記第２空間は、上記バッファ空間の上記第２向きの端部と繋がっている請求項１または２に記載の画像記録装置。
【請求項４】
上記第２貯留室は、上記第２空間よりも上記第３向きにおいて上記バッファ空間及び上記第１空間を繋ぐ第３空間を更に備える請求項３に記載の画像記録装置。
【請求項５】
上記第１空間の上記第２向きの端は、上記第２空間の上記第２向きの端よりも上記第２向きに位置しており、
上記液体流出口は、上記第１空間における上記第２空間よりも上記第２向きの部分を区画する面に形成されている請求項３または４に記載の画像記録装置。
【請求項６】
上記バッファ空間の容積は、規定された最大量の液体が上記第２貯留室に貯留された状態における当該液体の容積よりも小さい請求項３から５のいずれかに記載の画像記録装置。
【請求項７】
上記幅方向に並んで配置された複数の上記第１タンクと、
複数の上記第１タンクの各々に対応して上記幅方向に並んで配置された複数の上記第２タンクと、を備え、
複数の上記第２タンクのうちの所定の第２タンクの上記バッファ空間と、複数の上記第２タンクのうち、上記所定の第２タンクの上記第３向きにおける隣りに位置する第２タンクの上記液体流出口とは、上記幅方向の位置が重複している請求項３から６のいずれかに記載の画像記録装置。
【請求項８】
上記所定空間の容積は、上記第２貯留室における上記液体流出口の上記第３向きの端よりも上記第２向きの部分の容積よりも大きい請求項１から７のいずれかに記載の画像記録装置。
【請求項９】
上記液体流出口は、上記第２貯留室の上記第２向きの端を区画する区画面に形成されており、
上記所定空間の容積は、上記第２貯留室における上記区画面から上記第３向きに表面張力長だけ離れた位置よりも上記第２向きの部分の容積よりも大きく、
上記表面張力長は、上記区画面が上記所定空間の上端を区画する面となるように上記画像記録装置が設置された状態において、上記第２貯留室に貯留された液体の液面が表面張力によって上記区画面に当接可能な上記区画面と当該液面との上記上下方向の最大距離である請求項１から８のいずれかに記載の画像記録装置。
【請求項１０】
上記第１タンクは、上記カートリッジであって、上記第１貯留室に貯留された液体を供給する供給部を備え、
上記第２タンクは、上記連通口と連通しており、上記供給部と接続可能な接続部を備え、
上記第２貯留室は、上記接続部に接続された上記供給部から供給された液体を貯留するものである請求項１から９のいずれかに記載の画像記録装置。
【発明の詳細な説明】
【技術分野】
【０００１】
本発明は、互いに連通された液体貯留室を複数備える画像記録装置に関する。
【背景技術】
【０００２】
従来、互いに連通された複数の液体貯留室を有する画像記録装置が公知である。例えば、特許文献１には、隔壁によって互いに連通可能に上下に分けられた複数の液体貯留室を備える画像記録装置が開示されている。
【０００３】
上記のような画像記録装置では、複数の液体貯留室は、共通の大気連通孔によって大気開放されている。この場合、以下の問題が生じる。
【０００４】
例えば、複数の液体貯留室のうち、ノズルを有するヘッドと直接連通している下流側の液体貯留室よりも、ヘッドと直接連通していない上流側の液体貯留室に貯留された液体を先に消費しつくした方が、液体の循環上好ましい。しかし、複数の液体貯留室が共通の大気連通孔によって大気開放されている場合、複数の液体貯留室の一方に貯留された液体を先に消費しつくすことは構成上困難である。
【０００５】
また、例えば、複数の液体貯留室が共通の大気連通孔によって大気開放されている場合、この大気連通孔が詰まると、ヘッドへの液体供給ができなくなってしまう。
【先行技術文献】
【特許文献】
【０００６】
【特許文献１】特開２０１５−１９９２６１号公報
【発明の概要】
【発明が解決しようとする課題】
【０００７】
複数の液体貯留室の一方に貯留された液体を先に消費しつくすことを可能とするために、複数の液体貯留室の各々に独立した大気連通孔を設けて、各大気連通孔による大気連通を制御することが考えられる。また、複数の液体貯留室の各々に独立した大気連通孔を設けることで、一つの大気連通孔が詰まっても、他の大気連通孔による大気開放でヘッドへの液体供給を維持可能である。
【０００８】
上記のように複数の液体貯留室の各々に独立した大気連通孔が設けられた構成において、以下の問題が生じるおそれがある。輸送時などには画像記録装置が姿勢変化するおそれがある。例えば、使用時には、使用姿勢（下面が装置の下端となる姿勢）であった画像記録装置が、輸送時には、縦置き姿勢（例えば左面が装置の下端となる姿勢）とされるおそれがある。この場合、ヘッドが液体貯留室よりも下方に位置するおそれがある。すると、ヘッドと直接連通している液体貯留室からヘッドへ向けて液体が流出して、ヘッドからインクが漏れるおそれがある。
【０００９】
本発明は、前述した事情に鑑みてなされたものであり、その目的は、ヘッドが液体貯留室よりも下方に位置する場合に、液体貯留室に貯留された液体のヘッドへの流出を低減することにある。
【課題を解決するための手段】
【００１０】
(1)  本発明に係る画像記録装置は、液体を貯留する第１貯留室、及び上記第１貯留室を大気に連通させる第１大気連通部を有する第１タンクと、上記第１貯留室と連通する連通口、上記連通口と連通しており液体を貯留する第２貯留室、上記第１大気連通部とは異なる経路で上記第２貯留室を大気に連通させる第２大気連通部、及び上記第２貯留室から液体を流出する液体流出口を有する第２タンクと、上下方向と直交する奥行き方向に延びる搬送路に沿ってシートを搬送する搬送機構と、上記搬送路の上方に位置しており、上記上下方向及び上記奥行き方向と直交する幅方向に移動するキャリッジと、上記キャリッジに搭載されており、上記液体流出口と流路を介して連通しており、上記液体流出口から上記流路を通じて供給された液体を上記搬送路へ向けて吐出するノズルを有するヘッドと、を備える。上記第２貯留室は、上記ノズルよりも上記奥行き方向の一方である第１向き、且つ上記搬送路よりも上記幅方向の一方である第２向きに位置している。上記液体流出口は、上記第２貯留室の上記上下方向の中央よりも下方であり、上記第２貯留室の上記奥行き方向の中央よりも上記第１向きであり、且つ上記第２貯留室の上記幅方向の中央よりも上記第２向きである位置において、上記第２貯留室から液体を流出させるものである。上記第２貯留室は、上記連通口と同じ高さが液面となる量の液体が貯留されている状態において、当該液面よりも上方且つ上記液体流出口よりも上記幅方向の他方である第３向きに所定空間を備える。上記所定空間の容積は、上記液体流出口と上記ノズルとの間における液体の流通空間の容積よりも大きい。
【００１１】
画像記録装置の使用姿勢において、第２貯留室は搬送路よりも第２向きに位置しており、キャリッジは幅方向に移動可能である。画像記録装置が使用姿勢から９０度回転されて、第２貯留室が搬送路よりも上方に位置する回転姿勢で設置された場合、キャリッジは回転姿勢において上下方向に移動可能な状態となる。ここで、キャリッジが回転姿勢の画像記録装置の下部に位置する場合、キャリッジに搭載されたヘッドは、第２貯留室よりも下方に位置する状態となる。この状態で、第２貯留室が液体で満たされていると、第２貯留室に貯留された液体が水頭圧によってヘッドへ流出し、ヘッドから液体が流出するおそれがある。
【００１２】
本構成では、第２貯留室の液体流出口が、第２貯留室の幅方向の中央よりも第２向きの位置において第２貯留室と連通されている。また、第２貯留室は、使用姿勢における上部に所定空間を備えている。使用姿勢において、所定空間には、空気が蓄えられている。これにより、画像記録装置が使用姿勢から回転姿勢に姿勢変化した場合に、使用姿勢において所定空間に蓄えられていた空気は、回転姿勢において第２貯留室の幅方向の中央よりも第３向きに位置するようになる。そして、回転姿勢において第２貯留室の幅方向の中央よりも第３向きに位置するようになった空気は、回転姿勢における第２貯留室の上部へ移動する。ここで、画像記録装置が使用姿勢から回転姿勢に姿勢変化した場合に、液体流出口が回転姿勢における第２貯留室の上部と連通するようになる。よって、回転姿勢における第２貯留室の上部へ移動した空気は、液体流出口から流出する。
【００１３】
ここで、所定空間は、連通口と同じ高さが液面となる量の液体が第２貯留室に貯留されている状態において、当該液面よりも上方の空間である。また、所定空間の容積は、液体流出口とノズルとの間における液体の流通空間の容積よりも大きい。よって、上記量以下の液体が第２貯留室に貯留されている場合、流通空間は、液体流出口から流出した空気で満たされる。そのため、第２貯留室とヘッドとの間の水頭圧の差がなくなるため、液体流出口からの液体の流出を防止することができる。また、上記量よりも多い液体が第２貯留室に貯留されている場合であっても、液体流出口からの液体の流出を上記量との差分の量に抑えることができる。
【００１４】
(2)  本発明に係る画像記録装置は、上記第２貯留室に貯留されている液体の液面の高さを検知する液面検知部を備える。
【００１５】
本構成によれば、液面検知部は第２貯留室に貯留された液体の液面の高さを検知するものである。そのため、第１大気連通部または第２大気連通部の少なくとも一方の大気連通を制御することによって、第１貯留室に貯留された液体を第２貯留室に貯留された液体よりも先に使い切る構成とした場合において、第１貯留室が空となった後も液体の残量を検知することができる。
【００１６】
(3)  上記第２貯留室は、上記所定空間に設けられたバッファ空間と、上記バッファ空間よりも下方に位置しており上記液体流出口と連通する第１空間と、上記バッファ空間及び上記第１空間を繋ぐ第２空間と、を備える。上記第２空間は、上記バッファ空間の上記第２向きの端部と繋がっている。
【００１７】
本構成によれば、画像記録装置が使用姿勢から回転姿勢に姿勢変化した場合、第２空間が第２貯留室の上端部に位置する。これにより、回転姿勢において、バッファ空間内の空気を第２空間を介して第１空間へ容易に移動させることができる。
【００１８】
(4)  上記第２貯留室は、上記第２空間よりも上記第３向きにおいて上記バッファ空間及び上記第１空間を繋ぐ第３空間を更に備える。
【００１９】
本構成によれば、画像記録装置が使用姿勢から回転姿勢に姿勢変化した場合、第２空間が第２貯留室の上端部に位置し、第３空間が第２空間よりも下方に位置する。これにより、回転姿勢において、バッファ空間内の空気が第２空間を介して第１空間へ移動し、第１空間内の液体が第３空間を介してバッファ空間へ移動する。このように、空気及び液体の移動を促進することができる。
【００２０】
(5)  上記第１空間の上記第２向きの端は、上記第２空間の上記第２向きの端よりも上記第２向きに位置している。上記液体流出口は、上記第１空間における上記第２空間よりも上記第２向きの部分を区画する面に形成されている。
【００２１】
本構成によれば、画像記録装置が使用姿勢から回転姿勢に姿勢変化した場合、液体流出口は、第２空間よりも上方に位置する。これにより、液体の液面が第２空間を区画する面に表面張力によって当接するような場合でも、液体の液面が第１空間における第２空間よりも上方の部分（使用姿勢において、第１空間における第２空間よりも第２向きの部分）を区画する面に表面張力によって当接する可能性を低くできる。
【００２２】
(6)  例えば、上記バッファ空間の容積は、規定された最大量の液体が上記第２貯留室に貯留された状態における当該液体の容積よりも小さい。
【００２３】
(7)  本発明に係る画像記録装置は、上記幅方向に並んで配置された複数の上記第１タンクと、複数の上記第１タンクの各々に対応して上記幅方向に並んで配置された複数の上記第２タンクと、を備える。複数の上記第２タンクのうちの所定の第２タンクの上記バッファ空間と、複数の上記第２タンクのうち、上記所定の第２タンクの上記第３向きにおける隣りに位置する第２タンクの上記液体流出口とは、上記幅方向の位置が重複している。
【００２４】
本構成によれば、画像記録装置において、複数の第１タンクと複数の第２タンクとで占められる空間を幅方向に小さくできる。これにより、画像記録装置を幅方向に小型化できる。
【００２５】
(8)  上記所定空間の容積は、上記第２貯留室における上記液体流出口の上記第３向きの端よりも上記第２向きの部分の容積よりも大きい。
【００２６】
本構成によれば、使用姿勢において連通口と同じ高さが液面となる量以下の液体が第２貯留室に貯留されている場合に、画像記録装置が使用姿勢から回転姿勢に姿勢変化すると、液体流出口が液体の液面よりも上方となるため、液体の液体流出口への進入を防止することができる。また、使用姿勢において上記量よりも多い液体が第２貯留室に貯留されている場合に、画像記録装置が使用姿勢から回転姿勢に姿勢変化した場合であっても、液体流出口へ進入する液体を上記量との差分の量に抑えることができる。
【００２７】
(9)  上記液体流出口は、上記第２貯留室の上記第２向きの端を区画する区画面に形成されている。上記所定空間の容積は、上記第２貯留室における上記区画面から上記第３向きに表面張力長だけ離れた位置よりも上記第２向きの部分の容積よりも大きく、
上記表面張力長は、上記区画面が上記所定空間の上端を区画する面となるように上記画像記録装置が設置された状態において、上記第２貯留室に貯留された液体の液面が表面張力によって上記区画面に当接可能な上記区画面と当該液面との上記上下方向の最大距離である。
【００２８】
画像記録装置が使用姿勢から回転姿勢に姿勢変化した場合に、液体の液面が表面張力によって区画面に接すると、接した部分から液体が液体流出口へ進入するおそれがある。本構成によれば、液体の液面が表面張力によって区画面に接することがないため、上記の進入を防止できる。
【００２９】
(10)  上記第１タンクは、上記カートリッジであって、上記第１貯留室に貯留された液体を供給する供給部を備える。上記第２タンクは、上記連通口と連通しており、上記供給部と接続可能な接続部を備える。上記第２貯留室は、上記接続部に接続された上記供給部から供給された液体を貯留するものである。
【００３０】
本構成によれば、第１タンクを交換するだけで、第１貯留室に貯留された液体の残量を多くすることができる。
【発明の効果】
【００３１】
本発明によれば、ヘッドが液体貯留室よりも下方に位置する場合に、液体貯留室に貯留された液体のヘッドへの流出を低減することができる。
【図面の簡単な説明】
【００３２】
【図１】図１は、複合機１０の外観斜視図であって、（Ａ）はカバー８７が閉塞位置である状態、（Ｂ）はカバー８７が開放位置である状態を示す。
【図２】図２は、プリンタ部１１の内部構造を模式的に示す縦断面図である。
【図３】図３は、キャリッジ２２とプラテン２６とカートリッジ装着部１１０との配置を示す平面図である。
【図４】図４は、カートリッジ装着部１１０の開口１１２側の外観斜視図であり、（Ａ）はインクカートリッジ３０Ｙが装着された状態、（Ｂ）はインクカートリッジ３０Ｙ、３０Ｂが装着された状態を示す。
【図５】図５は、カートリッジ装着部１１０のタンク１０３側の外観斜視図である。
【図６】図６は、図４（Ａ）のＶＩ−ＶＩ断面図である。
【図７】図７は、図６のＶＩＩ−ＶＩＩ断面図である。
【図８】図８は、図６のＶＩＩＩ−ＶＩＩＩ断面図である。
【図９】図９（Ａ）は、回動部材５０及び支持部材１８５の斜視図であり、図９（Ｂ）は、回動部材５０及び支持部材１８５の背面図である。
【図１０】図１０は、インクカートリッジ３０の前方斜視図である。
【図１１】図１１は、図４（Ａ）のＶＩ−ＶＩ断面図である。
【図１２】図１２は、制御部１３０の構成を示すブロック図である。
【図１３】図１３は、図１０のＸＶＩ−ＸＶＩ断面図である。
【図１４】図１４（Ａ）は、図１０のＸＶＩＩＩ−ＸＶＩＩＩ断面図であり、図１４（Ｂ）は、図１４（Ａ）のＢ−Ｂ断面図である。
【発明を実施するための形態】
【００３３】
以下、本発明の実施形態について説明する。なお、以下に説明される実施形態は本発明の一例にすぎず、本発明の要旨を変更しない範囲で、本発明の実施形態を適宜変更できることは言うまでもない。また、複合機１０が使用可能に水平面に設置された姿勢（図１の姿勢であって、「使用姿勢」と表記することがある。）を基準として上下方向７が定義される。複合機１０の開口１３が設けられている面を前面１４Ａとして前後方向８（奥行き方向の一例）が定義される。複合機１０を前面から見て左右方向９（幅方向の一例）が定義される。本実施形態では、使用姿勢において、上下方向７が鉛直方向に相当し、前後方向８及び左右方向９が水平方向に相当する。前後方向８及び左右方向９は、直交している。
【００３４】
［複合機１０の全体構成］
図１に示されるように、複合機１０（画像記録装置の一例）は、概ね直方体形状である。複合機１０は、インクジェット記録方式で用紙１２（シートの一例、図２参照）に画像を記録するプリンタ部１１を下部に有している。プリンタ部１１は、前面１４Ａに開口１３が形成された筐体１４を有している。また、筐体１４の前面１４Ａには、各種情報を表示するディスプレイ２００が設けられている。
【００３５】
図２に示されるように、筐体１４の内部には、給送ローラ２３と、給送トレイ１５と、排出トレイ１６と、搬送ローラ対２５と、記録部２４と、排出ローラ対２７と、プラテン２６と、カートリッジ装着部１１０（図１（Ｂ）参照）と、が配置されている。複合機１０は、ファクシミリ機能及びプリント機能などの各種の機能を有している。
【００３６】
［給送トレイ１５、排出トレイ１６、給送ローラ２３］
図１に示されるように、給送トレイ１５は、開口１３を通じて前後方向８に沿ってユーザによって複合機１０に対して挿抜される。開口１３は、筐体１４の前面１４Ａにおける左右方向９の中央部に位置する。図２に示されるように、給送トレイ１５は、積層された複数の用紙１２を支持可能である。
【００３７】
排出トレイ１６は、給送トレイ１５の上方に配置されている。排出トレイ１６は、排出ローラ対２７によって排出された用紙１２を支持する。
【００３８】
給送ローラ２３は、給送トレイ１５に支持された用紙１２を搬送路１７へ給送する。給送ローラ２３は、給送用モータ１７２（図１２参照）によって駆動される。
【００３９】
［搬送路１７］
図２に示されるように、搬送路１７は、その一部がプリンタ部１１の内部において、所定間隔で対向する外側ガイド部材１８及び内側ガイド部材１９によって形成される空間を指す。搬送路１７は、給送トレイ１５の後端部から後方に延びる経路である。搬送路１７は、プリンタ部１１の後部において上方に延びつつ前方にＵターンし、記録部２４とプラテン２６との間の空間を経て排出トレイ１６に至る経路である。搬送ローラ対２５及び排出ローラ対２７の間における搬送路１７は、左右方向９における複合機１０の概ね中央部に設けられており、且つ前後方向８に延びている。搬送路１７内における用紙１２の搬送向きは、図２において一点鎖線の矢印で示されている。
【００４０】
［搬送ローラ対２５］
図２に示されるように、搬送ローラ対２５は、搬送路１７に配置されている。搬送ローラ対２５は、互いに対向する搬送ローラ２５Ａ及びピンチローラ２５Ｂを有する。搬送ローラ２５Ａは、搬送用モータ１７１（図１２参照）によって駆動される。ピンチローラ２５Ｂは、搬送ローラ２５Ａの回転に伴って連れ回る。用紙１２は、搬送用モータ１７１の正転によって正回転する搬送ローラ２５Ａ及びピンチローラ２５Ｂに挟持されて搬送向き（前向き）に搬送される。搬送ローラ対２５は、搬送機構の一例である。
【００４１】
［排出ローラ対２７］
図２に示されるように、排出ローラ対２７は、搬送路１７における搬送ローラ対２５より搬送向きの下流に配置されている。排出ローラ対２７は、互いに対向する排出ローラ２７Ａ及び拍車２７Ｂを有する。排出ローラ２７Ａは、搬送用モータ１７１（図１２参照）によって駆動される。拍車２７Ｂは、排出ローラ２７Ａの回転に伴って連れ回る。用紙１２は、搬送用モータ１７１の正転によって正回転する排出ローラ２７Ａ及び拍車２７Ｂに挟持されて搬送向き（前向き）に搬送される。排出ローラ対２７は、搬送機構の一例である。
【００４２】
［記録部２４］
図２に示されるように、記録部２４は、搬送路１７における搬送ローラ対２５及び排出ローラ対２７の間に配置されている。記録部２４は、搬送路１７を挟んでプラテン２６と上下方向７に対向配置されている。記録部２４は搬送路１７の上方に位置し、プラテン２６は搬送路１７の下方に位置している。記録部２４は、キャリッジ２２と、記録ヘッド２１（ヘッドの一例）とを備えている。
【００４３】
図３に示されるように、キャリッジ２２は、前後方向８に離間する位置において各々が左右方向９に延設されたガイドレール８２、８３に支持されている。ガイドレール８２、８３は、プリンタ部１１のフレーム（不図示）に支持されている。キャリッジ２２は、ガイドレール８３に設けられた公知のベルト機構に連結されている。ベルト機構は、キャリッジ駆動用モータ１７３（図１２参照）によって駆動される。ベルト機構に連結されたキャリッジ２２は、キャリッジ駆動用モータ１７３の駆動によって左右方向９に沿って往復移動する。キャリッジ２２の移動領域は、図３の一点鎖線で示されるように、搬送路１７より右方及び左方にまで及ぶ。
【００４４】
キャリッジ２２からは、インクチューブ２０とフレキシブルフラットケーブル８４とが延出されている。
【００４５】
インクチューブ２０は、カートリッジ装着部１１０と記録ヘッド２１とを接続するものである。インクチューブ２０は、カートリッジ装着部１１０に装着された各インクカートリッジ３０（第１タンク及びカートリッジの一例）に貯留されたインク（液体の一例）を記録ヘッド２１に供給する。本実施形態において、カートリッジ装着部１１０には、ブラックのインクが貯留されたインクカートリッジ３０Ｂ、マゼンタのインクが貯留されたインクカートリッジ３０Ｍ、シアンのインクが貯留されたインクカートリッジ３０Ｃ、イエローのインクが貯留されたインクカートリッジ３０Ｙが装着される。なお、これらの４つを総称してインクカートリッジ３０と記す。インクは、インクチューブ２０の内部空間（流路の一例）を流通する。各色（ブラック、マゼンタ、シアン、イエロー）のインクが流通する４本のインクチューブ２０が、インクカートリッジ３０Ｂ、３０Ｍ、３０Ｃ、３０Ｙに対応して設けられており、これらが束ねられた状態でキャリッジ２２に搭載された記録ヘッド２１に接続されている。
【００４６】
フレキシブルフラットケーブル８４は、制御部１３０（図１２参照）と記録ヘッド２１とを電気的に接続するものである。フレキシブルフラットケーブル８４は、制御部１３０から出力される制御信号を記録ヘッド２１に伝達する。
【００４７】
図２に示されるように、キャリッジ２２は、記録ヘッド２１を搭載している。記録ヘッド２１は、下面に配置された複数のノズル２９と、記録ヘッド２１内に形成されたインク流路の一部を変形させることでノズル２９からインク滴を吐出させる圧電素子５６（図１２参照）とを備えている。圧電素子５６は、後述するように、制御部１３０により給電されることで動作する。
【００４８】
記録部２４は、制御部１３０によって制御される。キャリッジ２２が左右方向９へ移動しているときに、記録ヘッド２１は、ノズル２９からインク滴を搬送路１７へ向けて吐出する。これにより、つまりプラテン２６に支持されている用紙１２に画像が記録される。また、これにより、各インクカートリッジ３０に貯留されたインクが消費される。
【００４９】
［プラテン２６］
図２に示されるように、プラテン２６は、搬送路１７における搬送ローラ対２５及び排出ローラ対２７の間に配置されている。プラテン２６は、搬送路１７を挟んで記録部２４と上下方向７に対向配置されている。プラテン２６は、搬送ローラ対２５によって搬送される用紙１２を下方から支持する。
【００５０】
［カバー８７］
図１（Ｂ）に示されるように、筐体１４の前面１４Ａの右部に、開口８５が形成されている。開口８５の後方には、カートリッジ装着部１１０を収容可能な収容空間８６が形成されている。筐体１４には、カバー８７が、開口８５を覆うようにして取り付けられている。カバー８７は、開口８５を閉塞する閉塞位置（図１（Ａ）に示される位置）と、開口８５を開放する開放位置（図１（Ｂ）に示される位置）との間を、左右方向９に延びる回動軸線８７Ａ（回動中心）周りに回動可能である。
【００５１】
［カートリッジ装着部１１０］
図１（Ｂ）に示されるように、カートリッジ装着部１１０は、筐体１４の右前部に位置している。図３に示されるように、カートリッジ装着部１１０は、記録ヘッド２１よりも前方に位置している。また、カートリッジ装着部１１０は、搬送路１７よりも右方に位置している。
【００５２】
図４〜図６に示されるように、カートリッジ装着部１１０は、カートリッジケース１０１と、接点１０６と、ロッド１２５と、装着センサ１１３と、ロックシャフト１４５と、タンク１０３（第２タンクの一例）と、液面センサ５５とを備えている。
【００５３】
カートリッジケース１０１には、それぞれシアン、マゼンタ、イエロー、ブラックの各色のインクが貯留された４つのインクカートリッジ３０が収容可能である。インクカートリッジ３０は、後方へ移動することによってカートリッジケース１０１に装着され、前方へ移動することによってカートリッジケース１０１から脱抜される。接点１０６、ロッド１２５、装着センサ１１３、ロックシャフト１４５、タンク１０３、及び液面センサ５５は、４つのインクカートリッジ３０それぞれに対応して、４つずつ設けられている。なお、カートリッジ装着部１１０に収容可能なインクカートリッジ３０の数は、４つに限らない。
【００５４】
４つの接点１０６、４つのロッド１２５、４つの装着センサ１１３、４つのロックシャフト１４５、及び４つの液面センサ５５は、それぞれ同構成である。そのため、後述する各部の説明では、１つの接点１０６、１つのロッド１２５、１つの装着センサ１１３、１つのロックシャフト１４５、及び１つの液面センサ５５の構成のみが説明され、残りの３つについての説明は省略される。
【００５５】
また、４つのタンク１０３の各々には、ブラック、マゼンタ、シアン、イエローの何れか一色のインクが貯留される。以下の説明において、４つのタンクを総称してタンク１０３と記し、ブラックのインクが貯留されるタンクをタンク１０３Ｂと記し、マゼンタのインクが貯留されるタンクをタンク１０３Ｍと記し、シアンのインクが貯留されるタンクをタンク１０３Ｃと記し、イエローのインクが貯留されるタンクをタンク１０３Ｙと記す。
【００５６】
［カートリッジケース１０１］
図４〜図６に示されるように、カートリッジケース１０１は、内部空間を有する箱形状である。カートリッジケース１０１の内部空間は、上端を画定する天壁１４１と、下端を画定する底壁１４２と、前後方向８の後端を画定する奥壁１４３と、左右方向９の両端を画定する一対の側壁１４４、１４６とで画定される。一方、前後方向８において奥壁１４３と対向するカートリッジケース１０１の前端は、カートリッジケース１０１の内部空間を露出させる開口１１２となっている。開口１１２は、カバー８７（図１参照）が開放位置に位置するときに、筐体１４の開口８５を通じて複合機１０の外部に露出される。
【００５７】
筐体１４の開口８５及びカートリッジ装着部１１０の開口１１２を通じて、インクカートリッジ３０がカートリッジケース１０１へ挿抜される。インクカートリッジ３０は、カートリッジケース１０１の底面に設けられたガイド溝１０９に、インクカートリッジ３０の下端部が挿入されることによって、前後方向８へ案内される。図４（Ａ）に示されるように、カートリッジケース１０１には、内部空間を上下方向７に長い４つの空間に仕切り分ける３つのプレート１０４が設けられている。プレート１０４によって仕切り分けられた各空間それぞれに、４つのインクカートリッジ３０が左右方向９に並んで収容される。
【００５８】
なお、図４（Ａ）には、４つのインクカートリッジ３０のうち、インクカートリッジ３０Ｙのみが、カートリッジ装着部１１０に装着された状態が示されている。図４（Ｂ）には、４つのインクカートリッジ３０のうち、インクカートリッジ３０Ｙ、３０Ｂのみが、カートリッジ装着部１１０に装着された状態が示されている。
【００５９】
［接点１０６］
図６に示されるように、カートリッジケース１０１の天壁１４１の下面には接点１０６が設けられている。接点１０６は、天壁１４１の下面からカートリッジケース１０１の内部空間へ向けて下方に突出している。各図には詳細に示されていないが、接点１０６は、左右方向９に離れて配置された４個で構成されている。４個で構成された接点１０６は、カートリッジケース１０１に収容可能な４つのインクカートリッジ３０に対応して、４つ設けられている。４個の接点１０６の配置は、後述されるインクカートリッジ３０の４つの電極６５の配置に対応している。接点１０６は、導電性及び弾性を有する部材で構成されており、上方へ弾性的に変形可能である。なお、接点１０６の個数及び電極６５の個数は任意である。
【００６０】
接点１０６は、電気回路を介して制御部１３０（図９参照）に電気的に接続されている。接点１０６と対応する電極６５とが係合して電気的に導通されることによって、電圧が電極６５に印加されたり、電極６５がアースされたり、電極６５に電力が供給されたりする。接点１０６と対応する電極６５との電気的に導通により、インクカートリッジ３０のＩＣに格納されたデータにアクセス可能となる。電気回路からの出力は制御部１３０に入力される。
【００６１】
［ロッド１２５］
図６に示されるように、カートリッジケース１０１の奥壁１４３におけるインクニードル１０２より上方に、ロッド１２５が形成されている。ロッド１２５は、カートリッジケース１０１の奥壁１４３から前方へ突出している。ロッド１２５は、円筒形状である。ロッド１２５は、インクカートリッジ３０がカートリッジ装着部１１０に装着された状態において、つまりインクカートリッジ３０が装着位置に位置する状態において、後述する大気連通口９６へ挿入される。
【００６２】
［装着センサ１１３］
図６に示されるように、カートリッジケース１０１の天壁１４１の下面には、装着センサ１１３が配置されている。装着センサ１１３は、インクカートリッジ３０がカートリッジ装着部１１０に装着されているか否かを検知するものである。装着センサ１１３は、ロッド１２５よりも前方且つ接点１０６よりも後方に位置している。本実施形態において、装着センサ１１３は、発光部及び受光部を備える。発光部は、受光部よりも右方または左方に、受光部と間隔を空けて設けられている。カートリッジ装着部１１０への装着が完了したインクカートリッジ３０の後述する遮光板６７は、発光部及び受光部の間に配置される。換言すれば、発光部及び受光部は、カートリッジ装着部１１０への装着が完了したインクカートリッジ３０の遮光板６７を挟んで対向配置されている。
【００６３】
装着センサ１１３は、発光部から左右方向９に沿って照射された光が受光部で受光されたか否かに応じて異なる検知信号を出力する。例えば、装着センサ１１３は、発光部から出力された光が受光部で受光できない（すなわち、受光強度が所定の強度未満である）ことを条件として、ローレベル信号を制御部１３０（図１２参照）へ出力する。一方、装着センサ１１３は、発光部から出力された光が受光部で受光できた（すなわち、受光強度が所定の強度以上である）ことを条件として、ハイレベル信号を制御部１３０（図１２参照）へ出力する。
【００６４】
[ロックシャフト１４５]
図６に示されるように、ロックシャフト１４５が、カートリッジケース１０１の天壁１４１付近且つ開口１１２付近において、カートリッジケース１０１の左右方向９に延出されている。ロックシャフト１４５は、左右方向９に沿って延びる棒状の部材である。ロックシャフト１４５は、例えば、金属の円柱である。ロックシャフト１４５の左右方向９の両端は、カートリッジケース１０１の左右方向９の両端を確定している壁に固定されている。ロックシャフト１４５は、４つのインクカートリッジ３０が収納可能な４つの空間に渡って左右方向９に延びている。
【００６５】
ロックシャフト１４５は、カートリッジ装着部１１０に装着されたインクカートリッジ３０を装着位置に保持するためのものである。インクカートリッジ３０は、カートリッジ装着部１１０に装着された状態で、ロックシャフト１４５に係合される。これにより、ロックシャフト１４５は、インクカートリッジ３０のコイルバネ７８，９８がインクカートリッジ３０を前方へ押す力に抗してインクカートリッジ３０をカートリッジ装着部１１０内に保持する。
【００６６】
［タンク１０３］
図５及び図７に示されるように、カートリッジ装着部１１０は、４つのタンク１０３Ｂ、１０３Ｍ、１０３Ｃ、１０３Ｙを備えている。４つのタンク１０３Ｂ、１０３Ｍ、１０３Ｃ、１０３Ｙは、左右方向９に並んで配置されている。各タンク１０３Ｂ、１０３Ｍ、１０３Ｃ、１０３Ｙは、各色のインクカートリッジ３０に対応している。つまり、各色のインクカートリッジ３０に貯留されたインクは、それぞれ対応するタンク１０３Ｂ、１０３Ｍ、１０３Ｃ、１０３Ｙへ流通可能である。
【００６７】
図６に示されるように、タンク１０３は、カートリッジケース１０１の奥壁１４３より後方に位置している。図５に示されるように、各タンク１０３Ｂ、１０３Ｍ、１０３Ｃ、１０３Ｙは、箱形状である。
【００６８】
図５〜図７に示されるように、各タンク１０３Ｂ、１０３Ｍ、１０３Ｃ、１０３Ｙは、内部に後述する貯留室１６０（第２貯留室の一例）を有する箱形状の本体と、接続部１０７とを備えている。図６及び図７に示されるように、本体は、上壁１６１と、前壁１６２と、下壁１６３と、後壁１６４と、一対の側壁１６５、１６６と、凸部１２０を構成する上壁１２０Ｂ及び前壁１２０Ｃとで構成されている。
【００６９】
図６に示されるように、上壁１６１は、第１上壁１６１Ａと、第２上壁１６１Ｂとで構成される。第１上壁１６１Ａは、第２上壁１６１Ｂよりも上方に位置する。
【００７０】
前壁１６２は、第１前壁１６２Ａと、第２前壁１６２Ｂと、第３前壁１６２Ｃとで構成される。第１前壁１６２Ａは、第２前壁１６２Ｂよりも前方に位置する。第３前壁１６２Ｃは、第１前壁１６２Ａよりも前方に位置する。
【００７１】
下壁１６３は、第１下壁１６３Ａと、第２下壁１６３Ｂとで構成される。第１下壁１６３Ａは、第２下壁１６３Ｂよりも上方に位置する。
【００７２】
第１前壁１６２Ａは、第１上壁１６１Ａの前端部から下方へ延びている。第１下壁１６３Ａは、第１前壁１６２Ａの下端部から後方へ延びている。第２前壁１６２Ｂは、第１下壁１６３Ａの後端部から下方へ延びている。上壁１２０Ｂは、第２前壁１６２Ｂの下端部から前方へ延びている。前壁１２０Ｃは、上壁１２０Ｂの前端部から下方へ延びている。第２上壁１６１Ｂは、前壁１２０Ｃの下端部から前方へ延びている。第３前壁１６２Ｃは、第２上壁１６１Ｂの前端部から下方へ延びている。第２下壁１６３Ｂは、第３前壁１６２Ｃの下端部から後方へ延びている。
【００７３】
図７に示されるように、側壁１６５は、各タンク１０３Ｂ、１０３Ｍ、１０３Ｃ、１０３Ｙに対応する上壁１６１、前壁１６２、及び下壁１６３の右端部と繋がっている。側壁１６６は、各タンク１０３Ｂ、１０３Ｍ、１０３Ｃ、１０３Ｙに対応する上壁１６１、前壁１６２、及び下壁１６３の左端部と繋がっている。
【００７４】
後壁１６４は、第１上壁１６１Ａ、第２下壁１６３Ｂ、及び側壁１６５、１６６の後端面に溶着されるフィルムである。なお、図５においては、後壁１６４（フィルム）が省略されている。本実施形態では、後壁１６４がフィルムであるが、後壁１６４以外の壁がフィルムであってもよい。また、後壁１６４がフィルムでなく樹脂壁であってもよい。
【００７５】
図６に示されるように、接続部１０７は、カートリッジ装着部１１０に装着されたインクカートリッジ３０のインク供給部３４と接続される。これにより、接続部１０７は、インクカートリッジ３０におけるインクが貯留される貯留室５７と連通される。その結果、インクカートリッジ３０に貯留されたインクが、接続部１０７を介して貯留室１６０へ流通可能となる。つまり、貯留室１６０は、接続部１０７に接続されたインク供給部３４から供給されたインクを貯留する。接続部１０７及び貯留室１６０の構成の詳細については、後述される。
【００７６】
［接続部１０７］
接続部１０７は、各タンク１０３に設けられている。各接続部１０７の構成は共通である。よって、以下では、４つの接続部１０７のうち１つの接続部１０７の構成が説明され、残り３つの接続部１０７の構成の説明は省略される。図４（Ａ）に示されるように、接続部１０７は、中空のインクニードル１０２と、ガイド部１０５とを備えている。
【００７７】
図４（Ａ）に示されるように、インクニードル１０２は、管状の樹脂からなり、カートリッジケース１０１の奥壁１４３の下部に位置している。インクニードル１０２は、カートリッジケース１０１の奥壁１４３において、カートリッジ装着部１１０に装着されたインクカートリッジ３０のインク供給部３４（供給部の一例）に対応する位置に配置されている。インクニードル１０２は、カートリッジケース１０１の奥壁１４３から前方へ突出している。
【００７８】
ガイド部１０５は、インクニードル１０２の周囲に配置されており、円筒形状である。ガイド部１０５は、カートリッジケース１０１の奥壁１４３から前方へ突出し、その突出端（前端）が開放されている。インクニードル１０２は、ガイド部１０５の中心に配置されている。ガイド部１０５は、インクカートリッジのインク供給部３４が内方に進入する形状である。
【００７９】
接続部１０７は、インクカートリッジ３０がカートリッジ装着部１１０に装着されていない状態において、インクカートリッジ３０のインク供給部３４と非接続である。一方、インクカートリッジ３０がカートリッジ装着部１１０へ挿入される過程において、つまりインクカートリッジ３０が装着位置（図６に示される位置）へ移動する過程において、インクカートリッジ３０のインク供給部３４がガイド部１０５に進入する。さらにインクカートリッジ３０がカートリッジ装着部１１０の奥へ向けて挿入されると、図６に示されるように、インクニードル１０２が、前後方向８に沿って、インク供給部３４に形成されたインク供給口７１に挿入される。これにより、接続部１０７とインク供給部３４とは接続される。そして、インクカートリッジ３０の内部に形成された貯留室３３に貯留されたインクは、インク供給部３４の内部に形成されたインクバルブ室３５及びインクニードル１０２の内部空間を通じてタンク１０３に流出される。なお、インクニードル１０２の先端は、平坦であってもよく、尖っていてもよい。
【００８０】
インクニードル１０２の内部空間１１７には、バルブ１１４及びコイルバネ１１５が収容されている。バルブ１１４は、前後方向８に沿って移動することにより、インクニードル１０２の突出先端部に形成された開口１１６を開閉する。つまり、バルブ１１４は、インクニードル１０２の内部空間１１７を開閉する。コイルバネ１１５はバルブ１１４を前方へ付勢している。したがって、外力が付与されていない状態（インクカートリッジ３０がカートリッジ装着部１１０に装着されていない状態）において、バルブ１１４は開口１１６を閉じている。また、外力が付与されていない状態において、コイルバネ１１５に付勢されたバルブ１１４の前端部は、開口１１６よりも前方へ突出している。接続部１０７とインク供給部３４とが接続される過程において、バルブ１１４が開口１１６を開く。バルブ１１４が開口１１６を開く動作については、後述される。
【００８１】
［貯留室１６０の概略］
本実施形態において、複合機１０は、各タンク１０３Ｂ、１０３Ｍ、１０３Ｃ、１０３Ｙに対応する４つの貯留室１６０Ｂ、１６０Ｍ、１６０Ｃ、１６０Ｙを備えている。
【００８２】
以下の説明において、４つの貯留室を総称して貯留室１６０と記す。また、タンク１０３Ｂが備えている貯留室、つまりブラックのインクが貯留される貯留室を貯留室１６０Ｂと記し、タンク１０３Ｍが備えている貯留室、つまりマゼンタのインクが貯留される貯留室を貯留室１６０Ｍと記し、タンク１０３Ｃが備えている貯留室、つまりシアンのインクが貯留される貯留室を貯留室１６０Ｃと記し、タンク１０３Ｙが備えている貯留室、つまりイエローのインクが貯留される貯留室を貯留室１６０Ｙと記す。
【００８３】
図３に示されるように、貯留室１６０は、記録ヘッド２１のノズル２９（図２参照）よりも前方に位置している。当該前方への向きは、第１向きの一例である。また、貯留室１６０は、搬送路１７よりも右方に位置している。当該右方への向きは、第２向きの一例である。
【００８４】
３つの貯留室１６０Ｍ、１６０Ｃ、１６０Ｙの構成は、概ね共通する。一方、貯留室１６０Ｂの構成は、３つの貯留室１６０Ｍ、１６０Ｃ、１６０Ｙとは異なる。よって、最初に、３つの貯留室１６０Ｍ、１６０Ｃ、１６０Ｙの構成が説明され、次に、貯留室１６０Ｂの構成が説明される。
【００８５】
なお、本実施形態では、貯留室１６０Ｍ、１６０Ｃ、１６０Ｙの構成は概ね共通しており、貯留室１６０Ｂの構成は貯留室１６０Ｍ、１６０Ｃ、１６０Ｙと異なっているが、各貯留室１６０Ｂの構成の相違は前述したような相違に限らない。例えば、貯留室１６０Ｍ、１６０Ｃ、１６０Ｙの構成が、貯留室１６０Ｂの構成と同じであってもよい。また、例えば、貯留室１６０Ｂの構成が、貯留室１６０Ｍ、１６０Ｃ、１６０Ｙの構成と同じであってもよい。また、例えば、貯留室１６０Ｍの構成が貯留室１６０Ｂの構成と同じである一方、貯留室１６０Ｃ、１６０Ｙの構成が貯留室１６０Ｂの構成と異なっていてもよい。
【００８６】
［貯留室１６０Ｍ、１６０Ｃ、１６０Ｙ］
貯留室１６０Ｍ、１６０Ｃ、１６０Ｙの構成は共通するため、以下では、３つの貯留室１６０Ｍ、１６０Ｃ、１６０Ｙのうちの１つの貯留室１６０Ｙの構成が説明され、残り２つの貯留室１６０Ｍ、１６０Ｃの構成は必要に応じて説明される。
【００８７】
図５〜図７に示されるように、貯留室１６０Ｙは、バッファ空間１８０と、第１空間１８１と、第２空間１８２とで構成されている。
【００８８】
バッファ空間１８０は、第１上壁１６１Ａの下面、第１前壁１６２Ａの後面、第１下壁１６３Ａの上面、後壁１６４の前面、側壁１６５の左面、及び側壁１６６の右面によって区画されている。
【００８９】
第１空間１８１は、第２上壁１６１Ｂの下面、第３前壁１６２Ｃの後面、第２下壁１６３Ｂの上面、後壁１６４の前面、側壁１６５の左面、及び側壁１６６の右面によって区画されている。
【００９０】
第２空間１８２は、第２前壁１６２Ｂの後面、後壁１６４の前面、側壁１６５の左面、及び側壁１６６の右面によって区画されている。
【００９１】
図７に示されるように、側壁１６５の左面の下部（第１空間１８１の下部の右端を区画している部分）は、側壁１６５の左面の下部以外（第１空間１８１の下部以外の右端、第２空間１８２の右端、及びバッファ空間１８０の右端を区画している部分）よりも右方に位置している。つまり、貯留室１６０Ｙの第１空間１８１の右端の位置は、貯留室１６０Ｙのバッファ空間１８０及び第２空間１８２の右端の位置よりも右方である。
【００９２】
なお、隣り合う２つの貯留室１６０のうちの左側に位置する貯留室（例えば貯留室１６０Ｙ）の右端を区画する側壁１６５と、隣り合う２つの貯留室１６０のうちの右側に位置する貯留室（例えば貯留室１６０Ｙの右隣りに位置する貯留室１６０Ｃ）の左端を区画する側壁１６６とは、それぞれが独立した壁であってもよいし、一体化されていてもよいし、一部のみが一体化されていてもよい。本実施形態では、貯留室１６０Ｙの右端を区画する側壁１６５と、貯留室１６０Ｃの左端を区画する側壁１６６とは、タンク１０３の下部においてのみ一体化されており、タンク１０３の下部以外においてそれぞれ独立している。
【００９３】
バッファ空間１８０は、第２空間１８２よりも上方に位置する。第１空間１８１は、第２空間１８２よりも下方に位置する。第２空間１８２の上端は、バッファ空間１８０と連通している。第２空間１８２の下端は、第１空間１８１と連通している。つまり、第２空間１８２は、バッファ空間１８０と第１空間１８１とを繋いでいる。
【００９４】
第２空間１８２の上端は、バッファ空間１８０の右端部と連通している。第２空間１８２の下端は、第１空間１８１の右端部と連通している。
【００９５】
図６に示されるように、第２空間１８２の上端は、バッファ空間１８０の後端部と連通している。第２空間１８２の下端は、第１空間１８１の後端部と連通している。
【００９６】
規定された最大量のインクが貯留室１６０Ｙに貯留されている状態において、インクの液面の上下方向７の位置は、位置Ｐ１である。本実施形態において、位置Ｐ１は第２空間１８２内の位置であるが、位置Ｐ１は第２空間１８２以外（例えばバッファ空間１８０内）の位置であってもよい。当該状態において、貯留室１６０Ｙは、液体貯留空間と大気連通空間とで構成される。液体貯留空間は、貯留室１６０Ｙにおける位置Ｐ１よりも下方の部分である。大気連通空間は、貯留室１６０Ｙにおける位置Ｐ１よりも上方の部分である。
【００９７】
第１空間１８１の上方であって第２空間１８２の前方には、凸部１２０が形成されている。凸部１２０は、左右方向９を向く側壁が透光部材によって形成されている。凸部１２０の内部空間は、第１空間１８１及び第２空間１８２と連続している。凸部１２０の内部空間は、貯留室１６０Ｙの一部を構成している。凸部１２０の内部空間には、後述する回動部材５０のアーム５３及び被検知部５４が位置する。なお、凸部１２０は、第１空間１８１または第２空間１８２の一方のみと連続していてもよい。
【００９８】
第３前壁１６２Ｃに、連通口１８４が形成されている。連通口１８４は、第１空間１８１と連通している。第１空間１８１は、連通口１８４を介して接続部１０７のインクニードル１０２の内部空間と連通している。これにより、インクニードル１０２を通じてインクカートリッジ３０Ｙから流出したインクが貯留室１６０Ｙに流入して貯留室１６０Ｙに貯留される。
【００９９】
連通口１８４と同じ高さが液面となる量のインクが貯留室１６０Ｙに貯留されている状態において、バッファ空間１８０及び第２空間１８２は、当該液面よりも上方に位置する。本実施形態において、連通口１８４と同じ高さが液面となるとは、インクニードル１０２の軸中心（換言すると連通口１８４の中心）と同じ高さが液面となるということであり、インク供給口７１の中心と同じ高さが液面となるということである。具体的には、図６に一点鎖線で示される位置Ｐ２が液面となるということである。
【０１００】
なお、連通口１８４と同じ高さが液面となることは、位置Ｐ２が液面となるということに限らない。例えば、連通口１８４と同じ高さが液面となるとは、連通口１８４の上端や下端と同じ高さが液面となるということであってもよい。
【０１０１】
また、連通口１８４の上端と同じ高さが液面となる量のインクが貯留室１６０Ｙに貯留されている状態において、バッファ空間１８０は、当該液面よりも上方に位置する。ここで、当該液面の上下方向７の位置は、図６に一点鎖線で示される位置Ｐ３である。
【０１０２】
図７に示されるように、貯留室１６０Ｙは、連通口１２８（液体流出口の一例）を介して、インク流路１２６と連通している。本実施形態では、第１空間１８１が連通口１２８を介してインク流路１２６と連通している。連通口１２８は、側壁１６５の下端部に形成されている。また、インク流路１２６は、側壁１６５に囲まれた空間である。
【０１０３】
ここで、側壁１６５の下部（第１空間１８１の下部の右端を区画している部分）は、側壁１６５の下部以外（第１空間１８１の下部以外の右端、第２空間１８２の右端、及びバッファ空間１８０の右端を区画している部分）よりも右方に位置している。つまり、連通口１２８は、第１空間１８１における第２空間１８２よりも右方の部分の区画する部分である側壁１６５の下部に形成されている。
【０１０４】
また、連通口１２８は、連通口１８４よりも下方に形成されている。
【０１０５】
また、バッファ空間１８０は、連通口１２８よりも左方に位置する。当該左方への向きは、第３向きの一例である。
【０１０６】
また、図６に示されるように、連通口１２８は、第１空間１８１の前端部と連通している。つまり、連通口１２８は、側壁１６６の前端部に形成されている。
【０１０７】
また、連通口１２８は、バッファ空間１８０よりも前方に位置している。つまり、バッファ空間１８０及び第２空間１８２を含む大気連通空間は、前後方向８において、連通口１２８よりも後方の位置まで拡がった空間である。
【０１０８】
また、図８に示されるように、貯留室１６０Ｙの連通口１２８Ｙは、貯留室１６０Ｙの連通口１８４Ｙよりも右方に位置している。同様に、貯留室１６０Ｍの連通口１２８Ｍは、貯留室１６０Ｍの連通口１８４Ｍよりも右方に位置しており、貯留室１６０Ｃの連通口１２８Ｃは、貯留室１６０Ｃの連通口１８４Ｃよりも右方に位置しており、貯留室１６０Ｂの連通口１２８Ｂは、貯留室１６０Ｂの連通口１８４Ｂよりも右方に位置している。
【０１０９】
また、貯留室１６０Ｙの連通口１２８Ｙは、貯留室１６０Ｙと連通しているインクカートリッジ３０Ｙの貯留室５７Ｙよりも右方に位置している。同様に、貯留室１６０Ｍの連通口１２８Ｍは、貯留室１６０Ｍと連通しているインクカートリッジ３０Ｍの貯留室５７Ｍよりも右方に位置しており、貯留室１６０Ｃの連通口１２８Ｃは、貯留室１６０Ｃと連通しているインクカートリッジ３０Ｃの貯留室５７Ｃよりも右方に位置している。なお、本実施形態において、貯留室１６０Ｂの連通口１２８Ｂは、貯留室１６０Ｂと連通しているインクカートリッジ３０Ｂの貯留室５７Ｂの右端よりも左方に位置している。つまり、連通口１２８Ｂは、貯留室５７Ｂよりも右方に位置していない。しかし、連通口１２８Ｂは、貯留室５７Ｂよりも右方に位置していてもよい。
【０１１０】
また、４つのタンク１０３のうちの所定のタンク１０３の左隣りに配置されたタンク１０３の連通口１２８は、当該所定のタンク１０３に対応するインクカートリッジ３０の左端よりも右方に位置している
【０１１１】
詳述すると、タンク１０３Ｂの左隣りに配置されたタンク１０３Ｍの連通口１２８Ｍは、タンク１０３Ｂに対応するインクカートリッジ３０Ｂの左端よりも右方に位置している。また、タンク１０３Ｍの左隣りに配置されたタンク１０３Ｃの連通口１２８Ｃは、タンク１０３Ｍに対応するインクカートリッジ３０Ｍの左端よりも右方に位置している。また、タンク１０３Ｃの左隣りに配置されたタンク１０３Ｙの連通口１２８Ｙは、タンク１０３Ｃに対応するインクカートリッジ３０Ｃの左端よりも右方に位置している。
【０１１２】
図８に示されるように、インク流路１２６は連通口１２８から後方へ延びる。図５に示されるように、後方へ延びたインク流路１２６は、タンク１０３の後端部から上方へ延びてインク流出ポート１２７と連続している。インク流出ポート１２７には、インクチューブ２０が接続されている。これにより、貯留室１６０Ｙに貯留されたインクが、連通口１２８から流出して、インク流路１２６及びインクチューブ２０を通じて記録ヘッド２１へ供給される。
【０１１３】
バッファ空間１８０は、タンク１０３の上部に設けられた大気連通ポート１２４（図４参照）と連通している。バッファ空間１８０と大気連通ポート１２４とは、第１前壁１６２Ａに形成された貫通孔１１９（図６参照）を通じて連通している。貫通孔１１９は半透膜１１８によって封止されている。大気連通ポート１２４、貫通孔１１９、半透膜１１８、及び大気連通ポート１２４と貫通孔１１９とを繋ぐ大気流路１４７（図５参照）は、第２大気連通部の一例である。大気連通ポート１２４は、外部へ開口している。これにより、貯留室１６０Ｙは、大気開放されている。つまり、大気連通ポート１２４は、貯留室１６０Ｙを大気に連通させる。なお、大気連通ポート１２４は、後述するインクカートリッジ３０に設けられた大気連通口９６とは異なる経路で、貯留室１６０Ｙを大気に連通させている。
【０１１４】
本実施形態では、大気流路１４７は、２つ設けられている。大気流路１４７の一方は、貯留室１６０Ｂの大気連通ポート１２４と貫通孔１１９とを繋いでいる。大気流路１４７の他方は、貯留室１６０Ｍ、１６０Ｃ、１６０Ｙの各大気連通ポート１２４と貫通孔１１９とを繋いでいる。なお、大気流路１４７の構成は、前述した構成に限らない。例えば、大気流路１４７は１つのみ設けられており、この１つの大気流路１４７が、貯留室１６０Ｂ、１６０Ｍ、１６０Ｃ、１６０Ｙの各大気連通ポート１２４と貫通孔１１９とを繋いでいてもよい。
【０１１５】
貫通孔１１９及び大気連通ポート１２４（図４参照）は、連通口１２８（図６参照）よりも後方に位置している。つまり、大気連通ポート１２４は、連通口１２８よりも後方の位置で、バッファ空間１８０を含む大気連通空間を大気に連通させている。
【０１１６】
貯留室１６０における位置Ｐ２よりも上部分（以下、所定空間と記す。）の容積は、連通口１２８と記録ヘッド２１のノズル２９との間におけるインクの流通空間の容積よりも大きい。ここで、連通口１２８とノズル２９との間におけるインクの流通空間とは、インク流路１２６の容積、インクチューブ２０の内部空間の容積、及び記録ヘッド２１の内部においてインクが貯留される空間の容積の合計である。
【０１１７】
また、所定空間の容積は、貯留室１６０Ｙにおける側壁１６５の左面の下部から左方に表面張力長Ｌ１（図７参照）だけ離れた位置Ｐ４（図７参照）よりも右方の部分（図７にハッチングで示された部分）の容積よりも大きい。表面張力長Ｌ１は、側壁１６５の左面が貯留室１６０Ｙの上端を区画する面となるように複合機１０が設置された左面下姿勢において、貯留室１６０Ｙに貯留されたインクの液面が表面張力によって側壁１６５の左面の下部に当接可能な所定方向に沿った最大距離である。ここで、左面下姿勢とは、使用姿勢のときの筐体１４の左面が下面となるように複合機１０が設置されたときの複合機１０の姿勢である。また、所定方向とは、左面下姿勢の複合機１０の上下方向、つまり使用姿勢の複合機１０の左右方向９である。
【０１１８】
また、所定空間の容積は、規定された最大量のインクが貯留室１６０Ｙに貯留された状態における当該インクの容積よりも小さい。詳述すると、貯留室１６０Ｙにおける位置Ｐ１（図６参照）よりも下方の部分の容積は、所定空間の容積よりも大きい。ここで、位置Ｐ１は、上述したように、複合機１０が使用姿勢の状態において、規定された最大量のインクが貯留室１６０Ｙに貯留されたときのインクの液面の上下方向７の位置である。
【０１１９】
バッファ空間１８０、第１空間１８１、及び第２空間１８２の水平方向に沿った断面積は、概ね矩形である。
【０１２０】
図６に示されるように、バッファ空間１８０及び第１空間１８１は、第２空間１８２より前方に亘って拡がっている。また、図７に示されるように、第２空間１８２を区画する部分における側壁１６５、１６６の左右方向９の間隔Ｌ２は、バッファ空間１８０を区画する部分における側壁１６５、１６６の左右方向９の間隔Ｌ４よりも短く、第１空間１８１を区画する部分における側壁１６５、１６６の左右方向９の間隔Ｌ３よりも短い。よって、バッファ空間１８０の水平断面積は、第２空間１８２の水平断面積よりも大きい。また、第１空間１８１の水平断面積は、第２空間１８２の水平断面積よりも大きい。
【０１２１】
［貯留室１６０Ｂ］
以下では、貯留室１６０Ｂの構成が説明される。なお、貯留室１６０Ｂの構成に説明において、貯留室１６０Ｍ、１６０Ｃ、１６０Ｙと共通する構成については、その詳細な説明が省略される。
【０１２２】
図５及び図７に示されるように、貯留室１６０Ｂには、内壁１６７が形成されている。内壁１６７は、上下方向７及び左右方向９に拡がる壁である。内壁１６７は、左右方向９において、側壁１６５、１６６の間に形成されている。内壁１６７の前端は、前壁１６２と繋がっている。内壁１６７の後端は、後壁１６４と繋がっている。換言すると、内壁１６７の後端面には、フィルムである後壁１６４が溶着されている。なお、本実施形態において、内壁１６７は、上下方向７に沿って真っ直ぐ延びているが、真っ直ぐに延びている必要はない。例えば、内壁１６７は、上下方向７に対して傾斜しつつ延びていてもよい。
【０１２３】
貯留室１６０Ｂは、貯留室１６０Ｍ、１６０Ｃ、１６０Ｙを構成する３つの空間（バッファ空間１８０、第１空間１８１、及び第２空間１８２）に加えて、第３空間１８３を備えている。つまり、貯留室１６０Ｂは、バッファ空間１８０と、第１空間１８１と、第２空間１８２と、第３空間１８３とで構成されている。
【０１２４】
第２空間１８２は、第２前壁１６２Ｂの後面、後壁１６４の前面、側壁１６５の左面、及び内壁１６７の右面によって区画されている。
【０１２５】
第３空間１８３は、第２前壁１６２Ｂの後面、後壁１６４の前面、内壁１６７の左面、及び側壁１６６の右面によって区画されている。第３空間１８３は、バッファ空間１８０よりも下方に位置し且つ第１空間１８１よりも上方に位置する。第３空間１８３の上端は、バッファ空間１８０と連通している。第３空間１８３の下端は、第１空間１８１と連通している。
【０１２６】
第３空間１８３の上端は、バッファ空間１８０の後端部と連通している。第３空間１８３の下端は、第１空間１８１の後端部と連通している。図７に示されるように、第３空間１８３の上端は、バッファ空間１８０の左端部と連通している。第３空間１８３の下端は、第１空間１８１の左端部と連通している。
【０１２７】
第３空間１８３は、第２空間１８２よりも左方に位置する。第３空間１８３は、内壁１６７によって第２空間１８２と隔てられている。つまり、第３空間１８３は、第２空間１８２と連通していない。以上より、第３空間１８３は、第２空間１８２よりも左方においてバッファ空間１８０と第１空間１８１とを繋いでいる。
【０１２８】
内壁１６７は、貯留室１６０Ｂを左右方向９に分けている。貯留室１６０Ｂにおける内壁１６７の右方には、後述する回動部材５０が配置されている。貯留室１６０Ｂにおける内壁１６７の左方において、貯留室１６０Ｂは、連通口１８４を通じて接続部１０７と連通している。つまり、内壁１６７は、貯留室１６０Ｂにおける接続部１０７と回動部材５０との間の空間を区画している。
【０１２９】
内壁１６７は、貯留室１６０Ｂの上端部から下端部に亘って形成されている。つまり、内壁１６７は、バッファ空間１８０から第１空間１８１に亘って形成されている。これにより、バッファ空間１８０は、左右方向９に２つの空間に分けられている。また、第１空間１８１は、左右方向９に２つの空間に分けられている。内壁１６７の上端部には、隙間１６７Ａが形成されている。これにより、２つに分けられたバッファ空間１８０は、互いに隙間１６７Ａを介して連通している。また、内壁１６７の下端部には、隙間１６７Ｂが形成されている。これにより、２つに分けられた第１空間１８１は、互いに隙間１６７Ｂを介して連通している。
【０１３０】
なお、内壁１６７は、連通口１８４及び後述する回動部材５０の被検知部５４よりも上方の位置から、連通口１８４及び被検知部５４の下方の位置に亘って形成されていればよい。つまり、内壁１６７は、必ずしも貯留室１６０Ｂの上端部から下端部に亘って形成されている必要はない。例えば、内壁１６７の上端は、図７に示されているよりも下方に位置していてもよい。
【０１３１】
図７に示されるように、連通口１２８は、貯留室１６０Ｂにおける内壁１６７の右方に形成されている。また、連通口１２８は、隙間１６７Ｂよりも下方に形成されている。なお、連通口１２８は、貯留室１６０Ｂにおける内壁１６７の左方に形成されていてもよい。また、連通口１２８は、上下方向７における隙間１６７Ｂと同じ位置に形成されていてもよい。また、連通口１２８は、隙間１６７Ｂよりも上方に形成されていてもよい。
【０１３２】
第３空間１８３の水平方向に沿った断面積は、概ね矩形である。バッファ空間１８０及び第１空間１８１は、第２空間１８２及び第３空間１８３より前方へ延びている。また、図７に示されるように、第２空間１８２を区画する部分における側壁１６５及び内壁１６７の左右方向９の間隔Ｌ５と、第３空間１８３を区画する部分における内壁１６７及び側壁１６６の左右方向９の間隔Ｌ６との合計は、バッファ空間１８０及び第１空間１８１を区画する部分における側壁１６５、１６６の左右方向９の間隔Ｌ７よりも短い。よって、バッファ空間１８０の水平断面積は、第２空間１８２の水平断面積と、第３空間１８３の水平断面積との合計よりも大きい。また、第１空間１８１の水平断面積は、第２空間１８２の水平断面積と、第３空間１８３の水平断面積との合計よりも大きい。
【０１３３】
［回動部材５０］
図６に示されるように、回動部材５０が、各タンク１０３の貯留室１６０内に配置されている。回動部材５０は、貯留室１６０内に配置された支持部材１８５によって、矢印５８、５９の向きに回動可能に支持されている。なお、回動部材５０は、支持部材１８５以外に支持されていてもよい。
【０１３４】
図８及び図９に示されるように、支持部材１８５は、右壁１８６及び左壁１８７と、後壁１８８と、底壁１８９とを備えている。右壁１８６及び左壁１８７は、左右方向９において対向配置されている。右壁１８６及び左壁１８７は、上下方向７及び前後方向８に拡がっている。後壁１８８は、右壁１８６の後端と左壁１８７の後端とを繋いでいる。底壁１８９は、右壁１８６の下端と左壁１８７の下端とを繋いでいる。右壁１８６の後端には、後方へ突出した突部１８６Ａが形成されている。図５に示されるように、突部１８６Ａが、タンク１０３の貯留室１６０を区画する第２下壁１６３Ｂに形成された一対の突起によって構成される凹部１９０に嵌合している。これにより、支持部材１８５は、タンク１０３の貯留室１６０内に固定されている。
【０１３５】
図７及び図８に示されるように、右壁１８６は、連通口１２８よりも左方に位置している。また、図７に示されるように、右壁１８６は、左右方向９において第２空間１８２の右端と左端との間に位置している。つまり、左右方向９において、右壁１８６は第２空間１８２と重なっている。なお、左右方向９において、右壁１８６は第２空間１８２と重なっていてもよいし、左右方向９において、右壁１８６は第２空間１８２と重なっていなくてもよい。
【０１３６】
図８に示されるように、右壁１８６は、連通口１２８よりも後方に位置している。また、図７に示されるように、右壁１８６は、連通口１２８よりも上方に位置している。つまり、右壁１８６は、上下方向７及び前後方向８において連通口１２８と重複していない。
【０１３７】
図６に示されるように、右壁１８６の上端は、第２上壁１６１Ｂよりも下方に位置する。つまり、右壁１８６の上端と、第１空間１８１の上端を区画する第２上壁１６１Ｂの下面との間には、隙間が形成されている。
【０１３８】
上述したように、複合機１０が使用姿勢の状態において、規定された最大量のインクが貯留室１６０に貯留されている場合、インクの液面の上下方向７の位置は位置Ｐ１である（図６参照）。この状態において、複合機１０が使用姿勢から左面下姿勢（使用姿勢のときの筐体１４の左面が下面となるように複合機１０が設置されたときの複合機１０の姿勢）へ姿勢変化すると、各タンク１０３におけるインクの液面は、図８に示される位置Ｐ５となる。このとき、図８に示されるように、右壁１８６の左右方向９の位置は、位置Ｐ５と同一である。なお、右壁１８６の左右方向９の位置は、位置Ｐ５と異なる位置であってもよいが、位置Ｐ５の近傍であることが好ましい。
【０１３９】
図９に示されるように、回動部材５０は、支持部材１８５の右壁１８６及び左壁１８７の間に配置されている。図６及び図９に示されるように、回動部材５０は、フロート５１と、軸５２と、アーム５３と、被検知部５４とを備えている。
【０１４０】
フロート５１は、回動部材５０の下部に位置する。フロート５１は、貯留室１６０に貯留されたインクよりも比重が小さい材料によって形成されている。軸５２は、フロート５１の右面及び左面から左右方向９に沿って突出している。軸５２は、支持部材１８５の右壁１８６及び左壁１８７に形成された孔１９１に挿入されている。これにより、回動部材５０は、軸５２を中心として回動可能に支持部材１８５によって支持される。軸５２は、連通口１８４よりも下方に位置している。フロート５１及び軸５２は、第１空間１８１に位置する。
【０１４１】
アーム５３は、フロート５１から略上方へ突出している。被検知部５４は、アーム５３の突出先端部に形成されている。つまり、被検知部５４は、回動部材５０の回動先端部に形成されている。アーム５３の一部及び被検知部５４は、凸部１２０の内部空間１２０Ａに位置する。被検知部５４は、連通口１８４よりも上方に位置する。被検知部５４は、上下方向７及び前後方向８に延びた板状に構成されている。被検知部５４は、後述する液面センサ５５の発光部５５Ａから出力された光を遮光する材料によって形成されている。
【０１４２】
貯留室１６０に貯留されたインクの液面が上下方向７において位置Ｐ２より上方の位置であるとき、換言すると、インクカートリッジ３０の貯留室３３に貯留されたインクの液面が上下方向７においてインク供給部３４の位置Ｐ２より上方であるとき、回動部材５０は、フロート５１に働く浮力によって、矢印５８の向きに回動する。これにより、回動部材５０は、図６に実線で示される検知位置に位置する。
【０１４３】
一方、貯留室１６０及びインクバルブ室３５に貯留されたインクが消費されることでインクの液面が下がり、上下方向７において位置Ｐ２となると、回動部材５０は、液面に追随して矢印５９の向きに回動する。これにより、回動部材５０は、図６に破線で示される非検知位置に位置する。つまり、回動部材５０は、貯留室１６０に貯留されたインクの液面の高さが上下方向７において連通口１８４と同じ位置になったことを条件として状態変化する。
【０１４４】
なお、本実施形態では、インクの液面が上下方向７において位置Ｐ２となると、回動部材５０が検知位置から非検知位置に回動するが、回動部材５０は、インクの液面が位置Ｐ２よりも下方である所定位置となったときに回動するように構成されていてもよい。
【０１４５】
［液面センサ５５］
液面センサ５５（図６参照）は、被検知部５４を備えた回動部材５０の状態変化を検知するものである。本実施形態において、液面センサ５５は、基板６０に実装された発光部及び受光部を備える。発光部及び受光部は、左右方向９に間隔を空けて、タンク１０３の凸部１２０を挟むように配置されている。発光部は、凸部１２０の右方または左方の一方に配置されており、受光部は、凸部１２０の右方または左方の他方に配置されている。発光部から出力される光の光路は、左右方向９に一致する。発光部と受光部との間には、検知位置の回動部材５０の被検知部５４が位置する。
【０１４６】
液面センサ５５は、発光部から出力された光が受光部で受光されたか否かに応じて異なる検知信号を出力する。例えば、液面センサ５５は、発光部から出力された光が受光部で受光できない（すなわち、受光強度が所定の強度未満である）ことを条件として、ローレベル信号（「信号レベルが閾値レベル未満の信号」を指す。）を制御部１３０（図１３参照）へ出力する。一方、液面センサ５５は、発光部から出力された光が受光部で受光できた（すなわち、受光強度が所定の強度以上である）ことを条件として、ハイレベル信号（「信号レベルが閾値レベル以上の信号」を指す。）を制御部１３０へ出力する。
【０１４７】
検知位置の被検知部５４は、発光部と受光部との間に位置する。よって、タンク１０３の貯留室１６０に貯留されたインクの液面（換言すると、インクカートリッジ３０の貯留室３３に貯留されたインクの液面）が上下方向７において位置Ｐ２より上方の位置であるとき、発光部から出力された光が受光部で受光できないため、液面センサ５５は、ローレベル信号を制御部１３０へ出力する。一方、非検知位置の被検知部５４は、発光部と受光部との間から退避した位置にある。よって、貯留室１６０に貯留されたインクの液面（換言すると、インクカートリッジ３０の貯留室３３に貯留されたインクの液面）が上下方向７において位置Ｐ２以下の位置であるとき、発光部から出力された光が受光部で受光できるため、液面センサ５５は、ハイレベル信号を制御部１３０へ出力する。上述した回動部材５０及び液面センサ５５は、液面検知部の一例である。
【０１４８】
［インクカートリッジ３０］
図６及び図１０に示されるインクカートリッジ３０はインクが貯留される容器である。図６及び図１０に示されているインクカートリッジ３０の姿勢は、使用姿勢である。
【０１４９】
図１０に示されるインクカートリッジ３０は、イエローのインクが貯留されたものである。シアン、マゼンタのインクが貯留されたインクカートリッジ３０は、後述する切欠き６６の有無や位置を除いて、イエローのインクが貯留されたインクカートリッジ３０と同構成である。ブラックのインクが貯留されたインクカートリッジ３０は、イエロー、シアン、マゼンタのインクが貯留されたインクカートリッジ３０よりも左右方向９の長さが長いこと、及び切欠き６６の有無や位置を除いて、イエロー、シアン、マゼンタのインクが貯留されたインクカートリッジ３０と同構成である。よって、以下では、イエローのインクが貯留されたインクカートリッジ３０の構成が説明され、シアン、マゼンタ、ブラックのインクが貯留されたインクカートリッジ３０の構成の説明は省略される。
【０１５０】
図６及び図１０に示されるように、インクカートリッジ３０は、略直方体形状の筐体３１を有する。筐体３１は、後壁４０と、段差壁４９と、段差壁９５と、前壁４１と、上壁３９と、サブ上壁９１と、下壁４２と、サブ下壁４８と、右側壁３７と、左側壁３８とで構成されている。
【０１５１】
筐体３１は、全体として、左右方向９に沿った寸法が細く、上下方向７及び前後方向８それぞれに沿った寸法が、左右方向９に沿った寸法よりも大きい扁平形状である。筐体３１において、少なくとも前壁４１が、貯留室３２及び貯留室３３に貯留されたインクの液面を外部から視認可能な透光性を有するものである。
【０１５２】
サブ下壁４８は、下壁４２より上方に位置しており、後壁４０の下端と連続して前方へ延びている。本実施形態において、サブ下壁４８の後端はインク供給部３４の後端よりも後方に位置し、サブ下壁４８の前端は、インク供給部３４の後端より前方に位置する。下壁４２とサブ下壁４８とは段差壁４９によって連続している。インク供給部３４は、サブ下壁４８の下方、且つ下壁４２の上方において、段差壁４９から後方へ延びている。なお、サブ下壁４８の後端の位置は任意であり、例えば、インク供給部３４の後端よりも前方に位置していてもよい。
【０１５３】
上壁３９の外面には、上方に突出する凸部４３が設けられている。凸部４３は、前後方向８に沿って延びている。凸部４３において後方を向く面がロック面１５１である。ロック面１５１は、上壁３９よりも上方に位置している。ロック面１５１は、カートリッジ装着部１１０にインクカートリッジ３０が装着された状態において、ロックシャフト１４５と前方へ向かって接触し得る面である。ロック面１５１がロックシャフト１４５と前方へ向かって接触することにより、インクカートリッジ３０がコイルバネ７８、９８の付勢力に抗してカートリッジ装着部１１０に保持される。
【０１５４】
凸部４３におけるロック面１５１の後方に、傾斜面１５５が形成されている。インクカートリッジ３０がカートリッジ装着部１１０に装着される過程において、ロックシャフト１４５が傾斜面１５５に沿って案内される。これにより、ロックシャフト１４５は、ロック面１５１と接触する位置へ導かれる。
【０１５５】
上壁３９におけるロック面１５１の前方に、操作部９０が形成されている。インクカートリッジ３０がカートリッジ装着部１１０に装着された状態において、操作部９０の操作面９２が下方へ押されると、インクカートリッジ３０が回動することでロック面１５１が下方へ移動する。これにより、ロック面１５１がロックシャフト１４５よりも下方に位置する。その結果、インクカートリッジ３０がカートリッジ装着部１１０から脱抜可能となる。
【０１５６】
上壁３９の外面には、上方に突出する遮光板６７が形成されている。遮光板６７は、前後方向８に延びている。遮光板６７は、凸部４３よりも後方に位置している。
【０１５７】
遮光板６７は、インクカートリッジ３０がカートリッジ装着部１１０に装着された状態において、装着センサ１１３の発光部と受光部との間に位置する。これにより、遮光板６７は、左右方向９に進行する装着センサ１１３の光を遮断する。より詳細には、装着センサ１１３の発光部から出力された光が受光部に到達するまでの間に遮光板６７に当たることによって、受光部に到達する光の強度が所定の強度未満、例えば、ゼロとなる。遮光板６７は、光が発光部から受光部に進むのを完全に遮断してもよいし、光を部分的に減衰させてもよいし、光の進行方向を曲げてもよいし、光を全反射させてもよい。
【０１５８】
本実施形態では、遮光板６７には切欠き６６が形成されている。切欠き６６は、遮光板６７の上端から下方へ凹む空間であり、前後方向８に拡がっている。切欠き６６が装着センサ１１３に位置することにより、装着センサ１１３の発光部から出力された光は、受光部に到達するまでに遮断されない。切欠き６６の有無によって、インクカートリッジ３０の種別、すなわちインクカートリッジ３０が貯留するインクの種類や初期量などが判別可能となる。他方、遮光板６７に切欠き６６がなければ、遮光板６７は、装着状態のインクカートリッジ３０において、装着センサ１１３の発光部と対向する。
【０１５９】
上壁３９の外面であって、前後方向８における遮光板６７と凸部４３との間には、ＩＣ基板６４が設けられている。ＩＣ基板６４は、インクカートリッジ３０がカートリッジ装着部１１０に装着された状態において接点１０６と導通する。
【０１６０】
ＩＣ基板６４には、シリコンなどで形成された基板に、ＩＣ（各図には現れていない）と、４つの電極６５が搭載されたものである。４つの電極６５は、左右方向９に沿って並んでいる。ＩＣは、半導体集積回路であり、インクカートリッジ３０に関する情報、例えば、ロット番号や製造年月日、インク色などの情報を示すデータが読み出し可能に格納されている。また、ＩＣ基板６４は、可橈性を有するフレキシブル基板にＩＣ及び電極が設けられて構成されてもよい。
【０１６１】
各電極６５はＩＣと電気的に接続されている。各電極６５は、それぞれが前後方向８に沿って延出されており、４つの電極６５は、左右方向９に離間されて配置されている。各電極６５は、ＩＣ基板６４の上面に電気的にアクセス可能に露出されている。
【０１６２】
段差壁９５は、上壁３９の外面のうち後端にあるサブ上壁９１の前端から上方へ延びている。段差壁９５には、貯留室３２を大気に連通させる大気連通口９６が形成されている。つまり、大気連通口９６は、筐体３１の上下方向７の寸法の中心より上方に配置されている。大気連通口９６は、段差壁９５に形成された略円形の開口であって、カートリッジ装着部１１０のロッド１２５の外径より大きな内径を有している。
【０１６３】
図６に示されるように、インクカートリッジ３０がカートリッジ装着部１１０に装着される過程において、ロッド１２５が大気連通口９６に進入する。大気連通口９６に進入したロッド１２５は、大気連通口９６を封止するバルブ９７をコイルバネ９８の付勢力に抗して後方へ移動させる。バルブ９７が後方へ移動して大気連通口９６から離れることにより、貯留室３２が大気開放される。なお、大気連通口９６を封止する部材は、バルブ９７に限定されない。例えば、段差壁９５から剥離可能なシールによって大気連通口９６が封止されてもよい。
【０１６４】
図６に示されるように、筐体３１の内部に、インクが貯留される貯留室５７（第１貯留室の一例）と、大気が流通される大気流路６１及びバッファ空間６２とが形成されている。貯留室５７は、貯留室３２、貯留室３３、及びインクバルブ室３５で構成されている。
【０１６５】
筐体３１は、その内部に、隔壁４４と下壁４５とを備える。隔壁４４及び下壁４５は、それぞれが前後方向８及び左右方向９に拡がる壁である。隔壁４４と下壁４５とは、上下方向７において互いに対向している。
【０１６６】
貯留室３２は、隔壁４４の下面により上側が区画され、下壁４５及びサブ下壁４８の上面により下側が区画される。貯留室３２は、後壁４０及び段差壁４９の内面により後側が区画され、前壁４１の内面により前側が区画される。貯留室３２は、側壁３７，３８の各内面により左右両側がそれぞれ区画される。つまり、貯留室３２は、隔壁４４の下面、下壁４５及びサブ下壁４８の上面、後壁４０及び段差壁４９の内面、前壁４１の内面、及び側壁３７，３８の各内面によって区画された空間である。
【０１６７】
隔壁４４は、貯留室３２と大気流路６１とを隔てている。隔壁４４の前端部には、貫通孔４６が形成されている。貯留室３２と大気流路６１とは、貫通孔４６によって連通している。
【０１６８】
下壁４５は、段差壁４９の内面から前方へ延びている。下壁４５は、貯留室５７を、下壁４５よりも上方の貯留室３２と、下壁４５よりも下方の貯留室３３とに分けている。下壁４５の前端部には、隙間４５Ａが形成されている（図１３及び図１４参照）。貯留室３２と貯留室３３とは、隙間４５Ａによって連通している。
【０１６９】
図１３及び図１４（Ａ）に示されるように、下壁４５の左端は、左側壁３８と繋がっている。つまり、下壁４５は、左側壁３８の内面、つまり貯留室３２を区画する面のうち右方を向く面から右方に延びている。隙間４５Ａは、下壁４５の右端部に形成されている。図１３に示されるように、隙間４５Ａの左端は、貫通孔４６の左端よりも右方に位置している。なお、貫通孔４６は、隙間４５Ａよりも左方に位置していてもよい。具体的には、貫通孔４６の右端が、隙間４５Ａの左端よりも左方に位置していてもよい。
【０１７０】
図６に示されるように、下壁４５は、インク供給口７１よりも上方に位置する。
【０１７１】
貯留室３３は、筐体３１の内部空間において、使用姿勢における貯留室３２の下方に位置してインクを貯留する。貯留室３３がインクを貯留可能な容積は、貯留室３２がインクを貯留可能な容積より小さい。
【０１７２】
貯留室３３は、下壁４５の下面により上側が区画され、下壁４２の内面により下側が区画される。貯留室３３は、前壁４１の内面により前側が区画される。貯留室３３は、側壁３７、３８の各内面により左右両側が区画される。貯留室３３とインクバルブ室３５との間には隔壁４７が形成されている。隔壁４７の前面により、貯留室３３の後側が区画されている。つまり、貯留室３３は、下壁４５の下面、下壁４２の内面、前壁４１の内面、側壁３７、３８の各内面、及び隔壁４７の前面により区画された空間である。貯留室３３は、隔壁４７に形成された貫通孔９９によって、インクバルブ室３５と連通している。
【０１７３】
大気流路６１の一端は、貫通孔４６を通じて貯留室３２と連通している。大気流路６１の他端は、大気連通口９６を通じて外部と連通している。
【０１７４】
大気流路６１の他端部には、大気バルブ室３６が形成されている。大気バルブ室３６には、バルブ９７及びコイルバネ９８が収容されている。大気バルブ室３６は、大気連通口９６によって外部と連通している。バルブ９７は、大気連通口９６を封止する閉位置と、大気連通口９６から離れた開位置に移動可能である。コイルバネ９８は、前後方向８に沿って伸縮可能に配置されており、バルブ９７を大気連通口９６へ当接する方向、すなわち後方へ付勢している。コイルバネ９８のバネ定数は、インク供給部３４のコイルバネ７８のバネ定数よりも小さい。
【０１７５】
大気バルブ室３６を区画する壁９３には貫通孔９４が形成されている。大気バルブ室３６は、貫通孔９４を通じて大気流路６１の一端側と連通している。貫通孔９４は、半透膜８０によって封止されている。
【０１７６】
バッファ空間６２は、大気流路６１の一端と他端との間に形成されている。詳細には、バッファ空間６２は、大気流路６１における貫通孔９４と貫通孔４６との間に形成されている。バッファ空間６２の一端は、大気流路６１の一端側（貫通孔４６を通じて貯留室３２と連通している側）と連通している。バッファ空間６２の他端は、大気流路６１の他端側（貫通孔９４を通じて大気バルブ室３６と連通している側）と連通している。
【０１７７】
以上より、貯留室３２は、大気流路６１及びバッファ空間６２を通じて外部と連通している。大気連通口９６、貫通孔４６、貫通孔９４、大気流路６１、及びバッファ空間６２は、第１大気連通部の一例である。
【０１７８】
バッファ空間６２における一端から他端への流通方向と直交する流路断面の面積は、大気流路６１における当該流路断面の面積よりも大きい。
【０１７９】
以下に詳述する。本実施形態において、大気流路６１及びバッファ空間６２は、貫通孔４６から大気連通口９６へ向かって概ね前後方向８に沿って延びている。つまり、大気流路６１及びバッファ空間６２における一端から他端への流通方向は、前後方向８である。よって、上記流路断面は、上下方向７及び左右方向９に拡がる面である。すなわち、上記流路断面は、鉛直断面積である。ここで、図６に示されるように、バッファ空間６２の上下方向７の長さは、大気流路６１の上下方向７の長さよりも長い。また、図示されていないが、バッファ空間６２及び大気流路６１は、共に、インクカートリッジ３０の右側壁３７によって右端を区画され、インクカートリッジ３０の左側壁３８によって左端を区画されている。よって、バッファ空間６２の左右方向９の長さは、大気流路６１の左右方向９の長さと同一である。以上より、バッファ空間６２における鉛直断面積は、大気流路６１における鉛直断面積よりも大きい。
【０１８０】
本実施形態において、タンク１０３の貯留室１６０を大気開放している流路の流路抵抗は、インクカートリッジ３０の貯留室５７を大気開放している流路の流路抵抗よりも大きい。貯留室１６０を大気開放している流路は、大気連通ポート１２４と貫通孔１１９とを繋ぐ大気流路１４７である（図５参照）。貯留室５７を大気開放している流路は、大気流路６１及びバッファ空間６２である。
【０１８１】
例えば、流路抵抗は、流路の断面積が大きくすることで小さくされる。また、例えば、流路抵抗は、流路の長さを長くすることで大きくされる。また、例えば、流路抵抗は、半透膜の種類を変えることで大きくまたは小さくされる。また、例えば、流路抵抗は、流路に配置される半透膜の数を多くすることで大きくされる。
【０１８２】
なお、タンク１０３の貯留室１６０を大気開放している流路の流路抵抗は、インクカートリッジ３０の貯留室５７を大気開放している流路の流路抵抗と同じであってもよいし、当該流路抵抗よりも小さくてもよい。
【０１８３】
インク供給部３４は、段差壁４９から後方へ突出している。つまり、インク供給部３４は、段差壁４９に形成されている。インク供給部３４は、円筒形状の外形をなしている。インク供給部３４の内部空間が、インクバルブ室３５である。インク供給部３４の後端は、インク供給口７１によってインクカートリッジ３０の外部に開口している。インク供給部３４の後端には、シール部材７６が設けられている。インク供給部３４の前端は、上述したように、貫通孔９９によって貯留室３３の下端と連通している。つまり、インク供給部３４は、貯留室３３の下端と連通している。以上より、インク供給口７１は、インクバルブ室３５を通じて貯留室３３と連通している。
【０１８４】
インクバルブ室３５は、インク供給部３４の内面によって区画されている。インク供給部３４の内面の下端３４Ａは、貯留室５７の底（最下端）を区画している。一方、タンク１０３の貯留室１６０の底（最下端）は、第２下壁１６３Ｂによって区画されている。そして、第２下壁１６３Ｂは、インク供給部３４の内面の下端３４Ａよりも下方に位置する。
【０１８５】
インクバルブ室３５には、バルブ７７及びコイルバネ７８が収容されている。バルブ７７は、前後方向８に沿って移動することにより、シール部材７６の中央に貫通されたインク供給口７１を開閉する。コイルバネ７８はバルブ７７を後方へ付勢している。したがって、外力が付与されていない状態において、バルブ７７は、シール部材７６のインク供給口７１を閉じている。
【０１８６】
シール部材７６は、中央に貫通孔が形成された円盤形状の部材である。シール部材７６は、例えば、ゴムやエラストマのような弾性材料から形成されている。シール部材７６の中央が前後方向８に貫通されて筒状の内周面が形成され、その内周面によりインク供給口７１が形成されている。インク供給口７１の内径は、インクニードル１０２の外径より若干小さい。
【０１８７】
バルブ７７がインク供給口７１を閉じており、且つバルブ１１４がインクニードル１０２の開口１１６を閉じている状態において、インクカートリッジ３０がカートリッジ装着部１１０に装着されると、当該装着の過程において、インク供給口７１にインクニードル１０２が前後方向８に沿って進入する。つまり、接続部１０７とインク供給部３４とが接続される。このとき、インクニードル１０２の外周面は、シール部材７６を弾性変形しつつ、インク供給口７１を画定する内周面に液密に接触する。インクニードル１０２の先端がシール部材７６を通過してインクバルブ室３５へ進入すると、バルブ７７に当接する。さらにインクカートリッジ３０がカートリッジ装着部１１０へ挿入されることにより、インクニードル１０２がバルブ７７をコイルバネ７８の付勢力に抗して後方へ移動させる。これにより、インク供給口７１が開かれる。
【０１８８】
また、インクニードル１０２の先端がバルブ７７に当接する一方で、バルブ７７は前方からバルブ１１４と当接してこれを押す。すると、バルブ１１４は、コイルバネ１１５の付勢力に抗して後方へ移動する。これにより、開口１１６が開かれる。その結果、貯留室３２、３３、及びインクバルブ室３５に貯留されているインクが、インクニードル１０２の内部空間１１７を通じて、タンク１０３の貯留室１６０へ流通することが可能となる。ここで、貯留室３２、３３、及びインクバルブ室３５と、貯留室１６０とは、いずれも大気に開放されている。よって、インクカートリッジ３０の貯留室３２、貯留室３３、及びインクバルブ室３５に貯留されたインクは、インク供給部３４を通じて水頭差によって、タンク１０３の貯留室１６０へ供給される。
【０１８９】
図１１に示されるように、タンク１０３の貯留室１６０における大気連通空間（貯留室１６０Ｙにおける位置Ｐ１よりも上方の部分）のうち連通口１２８よりも後方の部分１２１（図１１にハッチングで示される部分１２１）の容積は、インクカートリッジ３０における貯留室３３及びインクバルブ室３５と、タンク１０３の貯留室１６０における液体貯留空間のうち連通口１２８よりも前方の部分とを合わせた部分１２２（図１１にハッチングで示される部分１２２）の容積よりも大きい。なお、図１１では、部分１２２の面積が、部分１２１の面積よりも大きいが、部分１２２の左右方向９の長さが部分１２１の左右方向９の長さよりも短いため、部分１２１の容積が部分１２２の容積よりも大きくなる。
【０１９０】
上述したように、複合機１０が使用姿勢の状態において、規定された最大量のインクがタンク１０３及びインクカートリッジ３０に貯留されている場合、インクの液面の上下方向７の位置は位置Ｐ１である（図６参照）。この状態において、複合機１０が使用姿勢から後面下姿勢（使用姿勢のときの筐体１４の後面が下面となるように複合機１０が設置されたときの複合機１０の姿勢）へ姿勢変化すると、インクカートリッジ３０内のインクの液面は、図１４に示される位置Ｐ６となる。図１４に示されるように、下壁４５に形成された隙間４５Ａは、位置Ｐ６よりも後面下姿勢における上方（使用姿勢における前方）に位置する。つまり、隙間４５Ａは、後壁４０の内面及び段差壁４９の内面が上方を向くように複合機１０が設置されたときに、貯留室５７に貯留可能に規定された最大量のインクの液面よりも上方に位置する。
【０１９１】
［制御部１３０］
以下、図１２が参照されて、制御部１３０の概略構成が説明される。制御部１３０は、複合機１０の全体動作を制御するものである。制御部１３０は、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備えている。
【０１９２】
ＲＯＭ１３２には、ＣＰＵ１３１が記録制御を含む各種動作を制御するためのプログラムなどが格納されている。ＲＡＭ１３３は、ＣＰＵ１３１が上記プログラムを実行する際に用いるデータや信号等を一時的に記録する記憶領域として使用される。ＥＥＰＲＯＭ１３４には、電源オフ後も保持すべき設定やフラグ等が格納される。
【０１９３】
ＡＳＩＣ１３５には、搬送用モータ１７１、給送用モータ１７２、及びキャリッジ駆動用モータ１７３が接続されている。ＡＳＩＣ１３５には、各モータを制御する駆動回路が組み込まれている。ＣＰＵ１３１から所定のモータに応じた駆動回路に各モータを回転させるための駆動信号が入力されると、駆動信号に応じた駆動電流が駆動回路から対応するモータへ出力される。これにより、対応するモータが回転する。つまり、制御部１３０は、各モータ１７１、１７２、１７３を制御する。
【０１９４】
また、ＡＳＩＣ１３５には、圧電素子５６が接続されている。圧電素子５６は、不図示のドライブ回路を介して制御部１３０により給電されることで動作する。制御部１３０は、圧電素子５６への給電を制御し、複数のノズル２９から選択的にインク滴を吐出させる。
【０１９５】
制御部１３０は、用紙１２に画像を記録する際、搬送用モータ１７１を制御することによって、搬送ローラ対２５及び排出ローラ対２７に所定改行分の用紙１２の搬送及び停止を交互に繰り返す間欠搬送処理を実行させる。
【０１９６】
制御部１３０は、間欠搬送処理において用紙１２が停止している間に、吐出処理を実行する。吐出処理は、キャリッジ２２を左右方向９に沿って移動させながら、圧電素子５６への給電を制御して、ノズル２９からインク滴を吐出させる処理である。間欠搬送処理と吐出処理とが繰り返されることにより、用紙１２に画像が記録される。
【０１９７】
また、ＡＳＩＣ１３５には、装着センサ１１３から出力される信号が入力される。制御部１３０は、装着センサ１１３から入力された信号がローレベルの場合、インクカートリッジ３０がカートリッジ装着部１１０へ装着されていると判断する。一方、制御部１３０は、装着センサ１１３から入力された信号がハイレベルの場合、インクカートリッジ３０がカートリッジ装着部１１０へ装着されていないと判断する。
【０１９８】
また、ＡＳＩＣ１３５には、液面センサ５５から出力される信号が入力される。制御部１３０は、液面センサ５５から入力された信号がローレベルの場合、タンク１０３及びインクカートリッジ３０に貯留されたインクの液面が位置Ｐ２より上方に位置すると判断する。
【０１９９】
一方、制御部１３０は、回動部材５０が状態変化したことによって液面センサ５５から入力された信号がローレベルからハイレベルに変わると、タンク１０３及びインクカートリッジ３０に貯留されたインクの液面が上下方向７において位置Ｐ２に位置すると判断する。
【０２００】
このとき、制御部１３０は、インクカートリッジ３０に貯留されているインクが残り少なくなっていること、または、インクカートリッジ３０に貯留されているインクがなくなったこと、つまりインクカートリッジ３０の交換が必要であることを、ディスプレイ２００（図１参照）に表示したり、ＬＥＤを点灯させたり、ブザー音を発したりすることによって、ユーザに報知する。
【０２０１】
なお、制御部１３０は、液面センサ５５からの入力信号がローレベルからハイレベルに変化してから、記録ヘッド２１から吐出されたインク滴をドットカウントしてもよい。そして、制御部１３０は、ドットカウント値が所定値以上となったことを条件として、タンク１０３及びインクカートリッジ３０に貯留されたインクの液面が上下方向７において位置Ｐ２よりも下方の所定位置であると判断してもよい。このとき、制御部１３０は、上記と同様の報知を実行してもよい。なお、上記所定値は、接続部１０７よりも下方における貯留室１６０の容積などに基づいて決定される。
【０２０２】
制御部１３０は、４つのインクカートリッジ３０の各々について、貯留室３３に貯留されたインクの液面の上下方向７の位置を判断する。また、制御部１３０は、４つのインクカートリッジ３０に対応するタンク１０３の各々について、貯留室１６０に貯留されたインクの液面の上下方向７の位置を判断する。
【０２０３】
［本実施形態の作用効果］
複合機１０の使用姿勢において、貯留室１６０は搬送路１７よりも右方に位置しており、キャリッジ２２は左右方向９に移動可能である。複合機１０が使用姿勢から９０度回転されて、貯留室１６０が搬送路１７よりも上方に位置する左面下姿勢（使用姿勢のときの筐体１４の左面が下面となるように複合機１０が設置されたときの複合機１０の姿勢）で設置された場合、キャリッジ２２は左面下姿勢において上下方向７に移動可能な状態となる。ここで、キャリッジ２２が左面下姿勢の複合機１０の下部に位置する場合、キャリッジ２２に搭載された記録ヘッド２１は、貯留室１６０よりも下方に位置する状態となる。この状態で、貯留室１６０がインクで満たされていると、貯留室１６０に貯留されたインクが水頭圧によって記録ヘッド２１へ流出し、記録ヘッド２１からインクが流出するおそれがある。
【０２０４】
本実施形態では、図７に示されるように、貯留室１６０の連通口１２８が、貯留室１６０の左右方向９の中央よりも右方の位置において貯留室１６０と連通されている。また、貯留室１６０は、使用姿勢における上部に所定空間を備えている。使用姿勢において、所定空間には、空気が蓄えられている。これにより、複合機１０が使用姿勢から左面下姿勢に姿勢変化した場合に、使用姿勢において所定空間に蓄えられていた空気は、左面下姿勢において貯留室１６０の左右方向９の中央よりも左方に位置するようになる。そして、左面下姿勢において貯留室１６０の左右方向９の中央よりも左方に位置するようになった空気は、左面下姿勢における貯留室１６０の上部へ移動する。ここで、複合機１０が使用姿勢から左面下姿勢に姿勢変化した場合に、連通口１２８が左面下姿勢における貯留室１６０の上部と連通するようになる。よって、左面下姿勢における貯留室１６０の上部へ移動した空気は、連通口１２８から流出する。
【０２０５】
ここで、所定空間は、位置Ｐ２（図６参照）が液面となる量のインクが貯留室１６０に貯留されている状態において、当該液面よりも上方の空間である。また、所定空間の容積は、連通口１２８とノズル２９との間におけるインクの流通空間の容積よりも大きい。よって、上記量以下のインクが貯留室１６０に貯留されている場合、流通空間は、連通口１２８から流出した空気で満たされる。そのため、貯留室１６０と記録ヘッド２１との間の水頭圧の差がなくなるため、連通口１２８からのインクの流出を防止することができる。また、上記量よりも多いインクが貯留室１６０に貯留されている場合であっても、連通口１２８からのインクの流出を上記量との差分の量に抑えることができる。
【０２０６】
また、本実施形態によれば、回動部材５０及び液面センサ５５は、貯留室１６０に貯留されたインクの液面の高さを検知するものである。そのため、貯留室５７または貯留室１６０の少なくとも一方の大気連通を制御することによって、貯留室５７に貯留されたインクを貯留室１６０に貯留されたインクよりも先に使い切る構成とした場合において、貯留室５７が空となった後もインクの残量を検知することができる。
【０２０７】
また、本実施形態によれば、複合機１０が使用姿勢から左面下姿勢に姿勢変化した場合、第２空間１８２が貯留室１６０の上端部に位置する。これにより、左面下姿勢において、バッファ空間１８０内の空気を第２空間１８２を介して第１空間１８１へ容易に移動させることができる。
【０２０８】
また、本実施形態によれば、複合機１０が使用姿勢から左面下姿勢に姿勢変化した場合、第２空間１８２が貯留室１６０の上端部に位置し、第３空間１８３が第２空間１８２よりも下方に位置する。これにより、左面下姿勢において、バッファ空間１８０内の空気が第２空間１８２を介して第１空間１８１へ移動し、第１空間１８１内のインクが第３空間１８３を介してバッファ空間１８０へ移動する。このように、空気及びインクの移動を促進することができる。
【０２０９】
また、本実施形態によれば、第１空間１８１の右端は、第２空間１８２の右端よりも右方に位置している。そして、連通口１２８は、第１空間１８１における第２空間１８２の右端よりも右方の部分を区画する側壁１６５の左面の下部（図７参照）に形成されている。すると、複合機１０が使用姿勢から左面下姿勢に姿勢変化した場合、連通口１２８は、第２空間１８２よりも上方に位置する。これにより、インクの液面が第２空間１８２を区画する面に表面張力によって当接するような場合でも、インクの液面が側壁１６５の左面の下部に表面張力によって当接する可能性を低くできる。その結果、インクの連通口１２８から流出を抑制することができる。
【０２１０】
また、本実施形態によれば、所定空間の容積は、貯留室１６０における連通口１２８の左端よりも右方の部分の容積よりも大きい。そのため、使用姿勢において連通口１８４と同じ高さが液面（位置Ｐ２が液面）となる量以下のインクが貯留室１６０に貯留されている場合に、複合機１０が使用姿勢から左面下姿勢に姿勢変化すると、連通口１２８がインクの液面よりも上方となる。その結果、インクの連通口１２８への進入を防止することができる。また、使用姿勢において上記量よりも多いインクが貯留室１６０に貯留されている場合に、複合機１０が使用姿勢から左面下姿勢に姿勢変化した場合であっても、連通口１２８へ進入するインクを上記量との差分の量に抑えることができる。
【０２１１】
また、複合機１０が使用姿勢から左面下姿勢に姿勢変化した場合に、インクの液面が表面張力によって側壁１６５の左面の下部（図７参照）に接すると、接した部分からインクが連通口１２８へ進入するおそれがある。本実施形態によれば、複合機１０が左面下姿勢のときのインクの液面と側壁１６５の左面の下部との間隔は、表面張力長より長い。よって、インクの液面が表面張力によって側壁１６５の左面の下部に接することがないため、上記の進入を防止できる。
【０２１２】
また、本実施形態によれば、インクカートリッジ３０を交換するだけで、貯留室５７に貯留されたインクの残量を多くすることができる。
【０２１３】
また、本実施形態において、貯留室１６０は、下部に第１空間１８１を備え、上部にバッファ空間１８０を備えている。バッファ空間１８０には、空気が溜められている。これにより、複合機１０が使用姿勢から左面下姿勢に姿勢変化した場合に、バッファ空間１８０内の空気が移動して貯留室１６０の上部には空気が位置するようになる。その結果、貯留室１６０から連通口１２８へのインクの流出が低減される。
【０２１４】
ここで、複合機１０が使用姿勢から左面下姿勢に姿勢変化されるときに、インクと空気とが移動することによってインクと空気とが混ざって泡立つおそれがある。しかし、本実施形態では、以下に詳述するように、発生した泡の連通口１２８からの流出を低減することができる。複合機１０が使用姿勢から左面下姿勢に姿勢変化されるときに、バッファ空間１８０内の空気は第２空間１８２を通って第１空間１８１へ移動し、第１空間１８１内のインクは第２空間１８２を通ってバッファ空間１８０へ移動する。ここで、第２空間１８２の水平断面積は、バッファ空間１８０の水平断面積よりも小さく且つ第１空間１８１の水平断面積よりも小さい。そのため、第２空間１８２内では、インクと空気との混合が抑制され、泡の発生が抑制される。その結果、泡の連通口１２８から流出を低減することができる。つまり、インクの連通口１２８からの流出を低減することができる。
【０２１５】
また、本実施形態によれば、複合機１０が使用姿勢から左面下姿勢に姿勢変化されたときに、図８に示されるように、インクの液面が右壁１８６の近傍に位置する場合、例えばインクの液面が位置Ｐ５である場合、液面は表面張力によって右壁１８６に接する。これにより、複合機１０の振動による泡立ちを抑制することができる。
【０２１６】
また、複合機１０が使用姿勢から左面下姿勢に姿勢変化されたときに、インクの液面が右壁１８６よりも下方に位置する場合、発生した泡の連通口１２８への流出は右壁１８６によって阻まれる。これにより、泡の連通口１２８への流出を低減することができる。
【０２１７】
また、複合機１０が使用姿勢から左面下姿勢に姿勢変化されたときに、インクの液面が右壁１８６よりも上方に位置する場合、右壁１８６よりも下方に位置するインクが気体と混ざらず、右壁１８６よりも上方に位置するインクのみが気体が混ざる。つまり、気体と混ざる液体の量を減らすことができる。その結果、泡の発生を抑制することができる。
【０２１８】
また、仮に、右壁１８６が上下方向７及び前後方向８において連通口１２８と重複している場合、つまり右壁１８６が左右方向９において連通口１２８と対向している場合、左右方向９（左面下姿勢のときの上下方向）において右壁１８６と対向する位置で発生した泡は、右壁１８６に阻まれて右壁１８６よりも左方（左面下姿勢のときの下方）へ移動できない。その結果、泡が右方（左面下姿勢のときの上方）へ移動して連通口１２８から流出する可能性が高くなってしまう。しかし、本実施形態では、図８に示されるように、右壁１８６が上下方向７及び前後方向８において連通口１２８と重複していない。そのため、左右方向９（左面下姿勢のときの上下方向）において右壁１８６と対向する位置で発生した泡は、右壁１８６よりも左方（左面下姿勢のときの下方）へ移動することができる。その結果、泡の連通口１２８からの流出を抑制することができる。
【０２１９】
また、本実施形態によれば、図６に示されるように、右壁１８６の上端と、第２上壁１６１Ｂの下面との間には、隙間が形成されている。そのため、第１空間１８１に位置しているインクを、隙間を通じて第２空間１８２へ円滑に送ることができる。
【０２２０】
また、規定された最大量のインクが貯留室１６０に貯留された状態では、複合機１０の姿勢変化時に発生した泡が連通口１２８から流出する可能性が最も高い。当該状態において、複合機１０が使用姿勢から左面下姿勢に姿勢変化されたとき、インクの液面は位置Ｐ５となる。本実施形態では、図８に示されるように、右壁１８６の左右方向９の位置は、位置Ｐ５と同一である。そのため、このような状態において複合機１０が使用姿勢から左面下姿勢に姿勢変化されたときに、右壁１８６が液面の近傍に位置するため、液面が表面張力によって右壁１８６に接する。これにより、複合機１０の振動による泡立ちを抑制することができる。
【０２２１】
また、本実施形態によれば、複合機１０が使用姿勢から左面下姿勢に姿勢変化されるときに、バッファ空間１８０内の空気が主に第２空間１８２を介して第１空間１８１へ移動し、第１空間１８１内のインクが主に第３空間１８３を介してバッファ空間１８０へ移動する。これにより、第２空間１８２へ進入するインクの量が減るため、第２空間１８２における泡の発生を抑制することができる。
【０２２２】
また、複合機１０の使用姿勢において、貯留室１６０はノズル２９よりも前方に位置している。複合機１０が使用姿勢から９０度回転されて、貯留室１６０がノズル２９よりも上方に位置する後面下姿勢（使用姿勢のときの筐体１４の後面が下面となるように複合機１０が設置されたときの複合機１０の姿勢）で設置された場合、貯留室１６０に貯留された液体が水頭圧によって連通口１２８から記録ヘッド２１へ流出し、記録ヘッド２１からインクが流出するおそれがある。
【０２２３】
本実施形態では、複合機１０の使用姿勢において、大気連通空間が液体貯留空間よりも上方に位置する。複合機１０が使用姿勢から後面下姿勢に姿勢変化した場合、大気連通空間が液体貯留空間と水平方向に沿って並んだ状態となる。これにより、液体貯留空間に貯留された液体が大気連通空間へ流れ込む。その結果、使用姿勢において貯留室１６０に貯留されていたインクの連通口１２８からの流出を減らすことができる。
【０２２４】
また、複合機１０が使用姿勢から後面下姿勢に姿勢変化した場合、貯留室５７に貯留されたインクが、インク供給口７１を通じて貯留室１６０へ浸入し、貯留室１６０へ浸入したインクが水頭圧によって連通口１２８から記録ヘッド２１へ流出し、記録ヘッド２１からインクが流出するおそれがある。
【０２２５】
本実施形態では、図１３及び図１４に示されるように、貯留室５７は、下壁４５によって貯留室３２と貯留室３３及びインクバルブ室３５とに分けられている。これにより、複合機１０が後面下姿勢で設置された場合に、貯留室３２に貯留されたインクのうち、後面下姿勢において下壁４５に形成された隙間４５Ａよりも下方（使用姿勢における後方）に位置する部分に貯留されたインクは、貯留室３３側及びインクバルブ室３５側に移動できないため、貯留室１６０へ浸入するおそれがない。これにより、貯留室１６０へ浸入するインクの量を減らすことができる。
【０２２６】
また、複合機１０が使用姿勢から後面下姿勢に姿勢変化した場合、連通口１２８から記録ヘッド２１へ流出するおそれがあるインクは、貯留室３２とインクバルブ室３５とに貯留されたインク、貯留室３２に貯留されたインクのうち後面下姿勢において隙間４５Ａよりも上方（使用姿勢における前方）に位置する部分に貯留されたインク、及び液体貯留空間に貯留されたインクのうち連通口１２８よりも後面下姿勢における上方（使用姿勢における連通口１２８よりも前方）の部分に貯留されたインクである。
【０２２７】
本実施形態では、大気連通空間のうち連通口１２８よりも後方部分の容積、つまり図１１にハッチングで示される部分１２１の容積は、貯留室３２の容積と、インクバルブ室３５の容積と、液体貯留空間のうち連通口１２８よりも前方の部分の容積との合計、つまり図１１にハッチングで示される部分１２２の容積よりも大きい。これにより、複合機１０が使用姿勢から後面下姿勢に姿勢変化した場合に、連通口１２８から流出するインクの量を少なくすることができる。
【０２２８】
また、本実施形態によれば、隙間４５Ａは、複合機１０が後面下姿勢で設置されたときに、貯留室５７に貯留可能に規定された最大量の液面（位置Ｐ６、図１４参照）よりも上方（使用姿勢における前方）に位置する。そのため、貯留室３２に貯留されたインクは貯留室１６０へ浸入せず、貯留室３３及びインクバルブ室３５に貯留されたインクのみが貯留室１６０へ浸入する。これにより、複合機１０が使用姿勢から後面下姿勢に姿勢変化した場合に、貯留室５７から貯留室１６０へ浸入するインクの量を減らすことができる。
【０２２９】
また、本実施形態によれば、複合機１０が使用姿勢から後面下姿勢に姿勢変化した場合に、貫通孔１１９は、連通口１２８よりも下方に位置する。これにより、複合機１０が使用姿勢から後面下姿勢に姿勢変化した場合に、インクが貫通孔１１９へ達する。しかし、本実施形態では、貫通孔１１９に貼られた半透膜１１８によって、インクが外部へ漏れることを防止できる。
【０２３０】
また、本実施形態では、図８に示されるように、使用姿勢において、連通口１２８Ｍは、連通口１８４Ｍ及び貯留室５７Ｍよりも右方に位置している。よって、複合機１０が使用姿勢から左面下姿勢に姿勢変化すると、連通口１２８Ｍは、連通口１８４Ｍ及び貯留室５７Ｍよりも左面下姿勢における上方に位置する。そのため、左面下姿勢において、貯留室１６０Ｍにおける連通口１８４Ｍよりも上方に貯留されているインクが、連通口１８４Ｍを通じて、貯留室５７Ｍへ流れ込む。これにより、貯留室１６０Ｍに貯留されているインク量を減らすとともに、貯留室１６０Ｍ内の空気量を増やすことができる。
【０２３１】
ここで、使用姿勢において、連通口１２８Ｍは、貯留室１６０Ｍの左右方向９の中央よりも右方の位置において、貯留室１６０Ｍからインクを流出させるものである。よって、複合機１０が使用姿勢から左面下姿勢に姿勢変化すると、連通口１２８Ｍは、左面下姿勢における貯留室１６０Ｍの上下方向の中央よりも上方である位置において、貯留室１６０Ｍからインクを流出させる。したがって、左面下姿勢において、貯留室１６０Ｍ内のインク量が減ってインクが下方へ移動すると、連通口１２８Ｍからのインクの流出が減る。これにより、貯留室１６０Ｍに貯留されたインクの記録ヘッド２１からの漏れを低減することができる。
【０２３２】
なお、上記と同様に、貯留室１６０Ｃ、１６０Ｙに貯留されたインクの記録ヘッド２１からの漏れを低減することができる。
【０２３３】
また、本実施形態によれば、図１３に示されるように、使用姿勢において、下壁４５は、左側壁３８の内面から右方に延びている。また、使用姿勢において、隙間４５Ａの左端は、貫通孔４６の左端よりも右方に位置する。また、使用姿勢において、下壁４５によって分けられた２つの空間のうち上方の空間（貯留室３２）が貫通孔４６を通じて第１大気流路と連通しており、２つの空間のうち下方の空間（貯留室３３及びインクバルブ室３５）がインク供給口７１と連通している。
【０２３４】
よって、複合機１０が使用姿勢から左面下姿勢に姿勢変化すると、下壁４５は、左側壁３８の内面（左面下姿勢において底面となっている。）から上方に延びた状態となる。また、隙間４５Ａの下端は、貫通孔４６の下端よりも上方に位置するようになる。
【０２３５】
したがって、左面下姿勢において、貯留室１６０からインク供給口７１を通じて貯留室５７へ流れ込んだインクは、貯留室３３及びインクバルブ室３５において、その液面が隙間４５Ａの下端よりも上方に位置するような量まで貯留可能である。つまり、本実施形態によれば、貯留室５７へ流れ込むインクの量を多く確保できる。
【０２３６】
また、本実施形態によれば、インクカートリッジ３０の貯留室５７を大気開放している流路の流路抵抗は、タンク１０３の貯留室１６０を大気開放している流路の流路抵抗よりも小さいため、貯留室５７に貯留されたインクを貯留室１６０に貯留されたインクよりも優先的に消費することができる。
【０２３７】
また、本実施形態によれば、貯留室１６０から貯留室５７へ流れ込んだ液体をバッファ空間６２に蓄えることができる。これにより、貯留室１６０から貯留室５７へ送ることが可能なインク量を増やすことができる。
【０２３８】
また、本実施形態によれば、半透膜１１８が大気流路１４７のインクの流通を閉塞し、半透膜８０が大気流路６１のインクの流通を閉塞する。これにより、貯留室５７や貯留室１６０に貯留されたインクが、大気流路１４７、６１を通じてインクカートリッジ３０やタンク１０３の外部に漏れることを防止できる。
【０２３９】
また、本実施形態によれば、図８に示されるように、４つのタンク１０３のうちの所定のタンク１０３の左隣りに配置されたタンク１０３の連通口１２８は、当該所定のタンク１０３に対応するインクカートリッジ３０の左端よりも右方に位置している。よって、複数のタンク１０３を左右方向９においてコンパクトに配置することができる。
【０２４０】
［変形例］
上記実施形態において、連通口１２８は、貯留室１６０の下端部、右端部、且つ前端部に位置していた。しかし、連通口１２８の位置は、前記に限らない。但し、連通口１２８は、貯留室１６０の上下方向７の中央よりも下方であり、貯留室１６０の前後方向８の中央よりも前方であり、且つ貯留室１６０の左右方向９の中央よりも右方である位置に設けられていることが好ましい。また、連通口１２８は、バッファ空間１８０よりも右方に位置することが好ましい。
【０２４１】
例えば、連通口１２８は、貯留室１６０の右端である側壁１６５の左面の下部ではなく、貯留室１６０の右端よりも左方（例えば第３前壁１６２Ｃや第２下壁１６３Ｂ）に形成されていてもよい。この場合、貯留室１６０における所定空間（貯留室１６０における位置Ｐ２よりも上部分）の容積は、貯留室１６０における連通口１２８の左端よりも右方の部分の容積よりも大きい。
【０２４２】
上記実施形態では、図８に示されるように、隣り合う２つの貯留室１６０のうち右方に位置する貯留室１６０の左端は、隣り合う２つの貯留室１６０のうち左方に位置する貯留室１６０の右端よりも右方に位置していた。つまり、隣り合う２つの貯留室１６０は、左右方向９において重なっていなかった。しかし、隣り合う２つの貯留室１６０は、左右方向９において一部重なる位置にあってもよい。そして、この重なる部分に、隣り合う２つの貯留室１６０のうちの左側に位置する貯留室１６０からインクが流出する連通口１２８が形成されていてもよい。例えば、所定のタンク１０３の貯留室１６０のバッファ空間１８０と、当該所定のタンク１０３の左隣りに位置するタンク１０３の貯留室１６０からインクが流出する連通口１２８とは、左右方向９において重なる位置にあってもよい。
【０２４３】
上記実施形態では、図６に示されるように、連通口１２８は、バッファ空間１８０よりも前方に位置していた。しかし、バッファ空間１８０の前端は、連通口１２８よりも前方に位置していてもよい。つまり、バッファ空間１８０を含む大気連通空間は、前後方向８において、連通口１２８よりも前方の位置まで拡がった空間であってもよい。
【０２４４】
上記実施形態では、大気連通ポート１２４（図４参照）は、連通口１２８（図６参照）よりも後方に位置していた。しかし、大気連通ポート１２４は、連通口１２８よりも前方に位置していてもよい。つまり、大気連通ポート１２４は、連通口１２８よりも前方の位置で、バッファ空間１８０を大気に連通させていてもよい。
【０２４５】
上記変形例では、複合機１０が使用姿勢から後面下姿勢に姿勢変化した場合に、貫通孔１１９は、連通口１２８よりも上方に位置する。これにより、複合機１０が使用姿勢から後面下姿勢に姿勢変化した場合に、インクが連通口１２８から外部へ漏れる可能性を低くすることができる。
【０２４６】
上記実施形態では、図６に示されるように、貯留室１６０において、バッファ空間１８０及び第１空間１８１は、第２空間１８２よりも前方へ突出していた。しかし、貯留室１６０の形状は、図６などに示された形状に限らない。例えば、バッファ空間１８０及び第１空間１８１が、第２空間１８２よりも後方へ突出していてもよい。
【０２４７】
上記実施形態では、前向きが第１向きであり、右向きが第２向きであり、左向きが第３向きであった。しかし、後向きが第１向きであってもよく、左向きが第２向きであってもよく、右向きが第３向きであってもよい。つまり、カートリッジ装着部１１０は、記録ヘッド２１よりも後方に位置していてもよく、搬送路１７よりも左方に位置していてもよい。
【０２４８】
上記実施形態では、複合機１０がインクカートリッジ３０を装着可能に構成されていた。そして、インクカートリッジ３０が交換されることによって、インクが複合機１０に補充されていた。しかし、複合機１０は、インクカートリッジ３０の代わりに注入口を備えたタンクを備えていてもよい。この場合、当該タンクは、メインタンクとして用いられ、上述したインクカートリッジ３０と同様の構成を備える。また、タンク１０３は、メインタンクと連通されており、サブタンクとして用いられる。また、メインタンクに貯留されたインクが少なくなると、新たなインクが注入口から注入される。また、メインタンクは、複合機１０の筐体１４に固定されていてもよいし、筐体１４に対して着脱可能であってもよい。
【０２４９】
上記実施形態では、装着センサ１１３及び液面センサ５５は、発光部と受光部とを備えた光学センサであった。しかし、装着センサ１１３及び液面センサ５５は、近接センサなどの光学センサとは異なる種類のセンサであってもよい。
【０２５０】
上記実施形態では、各タンク１０３の貯留室１６０に配置された回動部材５０の回動によって、貯留室１６０に貯留されたインクの液面が位置Ｐ２以下となったことが検知されていた。しかし、当該検知は、回動部材５０の回動以外によって行われてもよい。
【０２５１】
例えば、各タンク１０３における位置Ｐ２と同じ高さに、プリズムが配置されてもよい。そして、貯留室１６０に貯留されたインクの液面がプリズムよりも上方か否かによってプリズムに入射する光の進行方向が異なることに基づいて、つまりプリズムに照射した光の透過状態に基づいて、貯留室１６０に貯留されたインクの液面が位置Ｐ２以下であるか否かが検知されてもよい。この場合、プリズムが被検知部に相当する。また、この場合、プリズムに光を照射する光学センサが被検知部を検知する検知部に相当する。そして、被検知部の状態変化とは、被検知部であるプリズムに照射した光の透過状態の変化である。
【０２５２】
また、例えば、貯留室１６０の本体の壁のうち、少なくとも位置Ｐ１を含む高さの部分を透光性を有する部材で形成することで透光部を構成し、貯留室１６０の本体の外に光学式の透過型センサを設けてもよい。そして、貯留室１６０に貯留されたインクの液面が透過型センサの発光部よりも上方か否かによって、貯留室１６０の本体の壁の透光部に入射する光が、透光部を透過して貯留室１６０内に到達し、貯留室１６０内のインクにより減衰されることなく再び透光部を透過して受光部に到達するか、または、貯留室１６０内のインクにより減衰されて受光部に到達するか（減衰されて受光部に到達できないか）に基づいて、つまり貯留室１６０の本体の壁の透光部に入射された光の減衰状態に基づいて、貯留室１６０に貯留されたインクの液面が位置Ｐ１以下であるか否かが検知されてもよい。この場合、貯留室１６０の本体の壁に形成した透光部が被検知部に相当する。また、この場合、光学式の透過型センサが被検知部を検知する検知部に相当する。そして、被検知部の状態変化とは、被検知部である透光部に照射した光の減衰状態の変化である。
【０２５３】
また、例えば、各タンク１０３の貯留室１６０に２本の電極が配置されてもよい。２本の電極は基板６０に実装されている。２本の電極の一方の下端は、位置Ｐ２よりも若干高い位置にある。２本の電極の他方の下端は、位置Ｐ２よりも下方に位置する。そして、２本の電極間にインクを通じて電流が流れるか否かに基づいて、貯留室１６０に貯留されたインクの液面が位置Ｐ２以下であるか否かが検知されてもよい。この場合、２本の電極が被検知部に相当する。また、この場合、基板に実装された上記電流を検知する部分（回路）が、被検知部を検知する検知部に相当する。そして、被検知部の状態変化とは、被検知部である２本の電極間の通電状態の変化である。
【０２５４】
上記実施形態では、貫通孔１１９が半透膜１１８によって封止されていたが、貫通孔１１９は半透膜１１８によって封止されていなくてもよい。また、貫通孔９４が半透膜８０によって封止されていたが、貫通孔１１９は半透膜８０によって封止されていなくてもよい。
【０２５５】
上記実施形態では、インクカートリッジ３０は、カートリッジ装着部１１０に対して水平方向に沿って挿入されることによって、カートリッジ装着部１１０に装着されていた。しかし、インクカートリッジ３０は、カートリッジ装着部１１０に対して水平方向以外、例えば上下方向７に沿って挿入されることによって、カートリッジ装着部１１０に装着されてもよい。
【０２５６】
上記実施形態では、接続部１０７及びインク供給部３４は、水平方向に沿って延びていたが、水平方向以外に沿って延びていてもよい。例えば、接続部１０７は、カートリッジケース１０１から上方へ向けて突出していてもよい。また、インク供給部３４は、インクカートリッジ３０の下壁から下方へ向けて突出していてもよい。なお、この場合、位置Ｐ２は、例えば接続部１０７の上下方向７における中央位置や、インク供給部３４の上下方向７における中央位置などに設定される。
【０２５７】
上記実施形態では、インクが液体の一例として説明されているが、例えば、インクに代えて、画像記録時にインクに先立って用紙などに吐出される前処理液がインクカートリッジ３０やタンク１０３に貯留されていてもよい。また、記録ヘッド２１を洗浄するための水がインクカートリッジ３０やタンク１０３に貯留されていてもよい。
【符号の説明】
【０２５８】
１０・・・複合機
１２・・・用紙
１７・・・搬送路
２０・・・インクチューブ
２１・・・記録ヘッド
２２・・・キャリッジ
２５・・・搬送ローラ対
２７・・・排出ローラ対
２９・・・ノズル
３０・・・インクカートリッジ
３２・・・貯留室
３３・・・貯留室
３４・・・インク供給部
４５・・・下壁
４５Ａ・・・隙間
４９・・・段差壁
５７・・・貯留室
６１・・・大気流路
６２・・・バッファ空間
７１・・・インク供給口
１０３・・・タンク
１０７・・・接続部
１１８・・・半透膜
１１９・・・貫通孔
１２４・・・大気連通ポート
１２８・・・連通口
１４７・・・大気流路
１６０・・・貯留室
１８０・・・バッファ空間
１８１・・・第１空間
１８２・・・第２空間
１８４・・・連通口
【図１】
2018140585.tif 000003
【図２】
2018140585.tif 000004
【図３】
2018140585.tif 000005
【図４】
2018140585.tif 000006
【図５】
2018140585.tif 000007
【図６】
2018140585.tif 000008
【図７】
2018140585.tif 000009
【図８】
2018140585.tif 000010
【図９】
2018140585.tif 000011
【図１０】
2018140585.tif 000012
【図１１】
2018140585.tif 000013
【図１２】
2018140585.tif 000014
【図１３】
2018140585.tif 000015
【図１４】
2018140585.tif 000016